(57)【要約】  本発明の実施形態は、通信の技術分野に関しており、かつ中高層建築におけるネットワークカバレッジを達成するために使用される、アンテナシステム、仮想アンテナポートマッピング方法及び装置を開示する。アンテナシステムは、縦方向の配列にある第１のアンテナアレイ及び第２のアンテナアレイを含む少なくとも１つのアンテナモジュールと、第１の電気調整及び第２の電気調整を含む、少なくとも１つのアンテナモジュールと一対一に対応している少なくとも１つの電気調整セットとを含み、第１の電気調整は、アンテナモジュール内の第１のアンテナアレイに接続され、第１のアンテナアレイにより生成されるビームの垂直ローブのダウンチルト角の調整用に使用され、第２の電気調整は、アンテナモジュール内の第２のアンテナアレイに接続され、アンテナモジュール内の第２のアンテナアレイにより生成されるビームの垂直ローブのダウンチルト角の調整用に使用される。
2019536368.tif 000002
【特許請求の範囲】
【請求項１】
アンテナシステムであって、
少なくとも１つのアンテナモジュールであって、前記アンテナモジュールは縦方向に配列された第１のアンテナアレイおよび縦方向に配列された第２のアンテナアレイを含む、少なくとも１つのアンテナモジュールと、
前記少なくとも１つのアンテナモジュールと一対一に対応する少なくとも１つの電気調整グループであって、前記電気調整グループは、第１の電気調整および第２の電気調整を含み、各アンテナモジュールに対応する前記電気調整グループ内の前記第１の電気調整は、前記アンテナモジュール内の前記第１のアンテナアレイに接続されており、前記アンテナモジュール内の前記第１のアンテナアレイにより生成されるビームの垂直ローブのダウンチルト角を調整するように構成されており、各アンテナモジュールに対応する前記電気調整グループ内の前記第２の電気調整は、前記アンテナモジュール内の前記第２のアンテナアレイに接続されており、前記アンテナモジュール内の前記第２のアンテナアレイにより生成されるビームの垂直ローブのダウンチルト角を調整するように構成されている、少なくとも１つの電気調整グループと、を含むアンテナシステム。
【請求項２】
前記アンテナモジュール内の前記第１のアンテナアレイは、Ｎ１個の縦方向に配列されたアンテナアレイ素子を含み、前記アンテナモジュール内の前記第２のアンテナアレイは、Ｎ２個の縦方向に配列されたアンテナアレイ素子を含み、各アンテナアレイ素子は、１つの正４５度偏波アレイ素子および１つの負４５度偏波アレイ素子を含み、前記第１のアンテナアレイのＮ１個の正４５度偏波アレイ素子は、第３の物理的アンテナポートに対応しており、前記第１のアンテナアレイのＮ１個の負４５度偏波アレイ素子は、第４の物理的アンテナポートに対応しており、前記第２のアンテナアレイのＮ２個の正４５度偏波アレイ素子は、第１の物理的アンテナポートに対応しており、前記第２のアンテナアレイのＮ２個の負４５度偏波アレイ素子は第２の物理的アンテナポートに対応しており、Ｎ１およびＮ２は両方とも０より大きい整数である、請求項１に記載のアンテナシステム。
【請求項３】
仮想アンテナポートマッピング方法であって、
ベースバンド処理ユニットＢＢＵにより、アンテナシステムのアーキテクチャ情報を取得するステップであって、前記アンテナシステムは、少なくとも１つのアンテナモジュールを含み、前記アンテナモジュールは、縦方向に配列された第１のアンテナアレイおよび縦方向に配列された第２のアンテナアレイを含み、前記第１のアンテナアレイにより生成されるビームの垂直ローブのダウンチルト角は、前記第２のアンテナアレイにより生成されるビームの垂直ローブのダウンチルト角と同じであるか、または異なる、取得するステップと、
前記ＢＢＵにより、前記ＢＢＵの仮想アンテナポートを、前記アンテナシステムの前記アーキテクチャ情報および前記仮想アンテナポートに基づいて、前記アンテナシステム内の物理的アンテナポートにマッピングするステップとを含む方法。
【請求項４】
前記アンテナモジュール内の前記第１のアンテナアレイは、Ｎ１個の縦方向に配列されたアンテナアレイ素子を含み、前記アンテナモジュール内の前記第２のアンテナアレイは、Ｎ２個の縦方向に配列されたアンテナアレイ素子を含み、各アンテナアレイ素子は、１つの正４５度偏波アレイ素子および１つの負４５度偏波アレイ素子を含み、前記第１のアンテナアレイのＮ１個の正４５度偏波アレイ素子は、第３の物理的アンテナポートに対応しており、前記第１のアンテナアレイのＮ１個の負４５度偏波アレイ素子は、第４の物理的アンテナポートに対応しており、前記第２のアンテナアレイのＮ２個の正４５度偏波アレイ素子は、第１の物理的アンテナポートに対応しており、前記第２のアンテナアレイのＮ２個の負４５度偏波アレイ素子は、第２の物理的アンテナポートに対応しており、Ｎ１およびＮ２は両方とも０より大きい整数である、請求項３に記載の方法。
【請求項５】
前記アンテナシステムは１つのアンテナモジュールを含み、前記アンテナモジュール内の第１のアンテナアレイにより生成されるビームの垂直ローブのダウンチルト角は、前記アンテナモジュール内の第２のアンテナアレイにより生成されるビームの垂直ローブのダウンチルト角と同じであり、２つの仮想アンテナポートがあり、前記ＢＢＵにより、前記ＢＢＵの仮想アンテナポートを、前記アンテナシステムの前記アーキテクチャ情報および前記仮想アンテナポートに基づいて、前記アンテナシステム内の物理的アンテナポートにマッピングするステップは、
前記ＢＢＵにより、前記２つの仮想アンテナポートのうちの仮想アンテナポート０を、重み値［１，１］を使用することにより、前記アンテナモジュール内の第１の物理的アンテナポートおよび第３の物理的アンテナポートにマッピングするステップと、前記２つの仮想アンテナポートのうちの仮想アンテナポート１を、重み値［１，１］を使用することにより、前記アンテナモジュール内の第２の物理的アンテナポートおよび第４の物理的アンテナポートにマッピングするステップとを含む、請求項４に記載の方法。
【請求項６】
前記アンテナシステムは１つのアンテナモジュールを含み、前記アンテナモジュール内の第１のアンテナアレイにより生成されるビームの垂直ローブのダウンチルト角が、前記アンテナモジュール内の第２のアンテナアレイにより生成されるビームの垂直ローブのダウンチルト角とは異なり、２つの仮想アンテナポートがあり、前記ＢＢＵにより、前記ＢＢＵの仮想アンテナポートを、前記アンテナシステムの前記アーキテクチャ情報および前記仮想アンテナポートに基づいて、前記アンテナシステム内の物理的アンテナポートにマッピングするステップは、
前記ＢＢＵにより、前記２つの仮想アンテナポートのうちの仮想アンテナポート０を、重み値［１，１］を使用することにより、前記アンテナモジュール内の第１の物理的アンテナポートおよび第４の物理的アンテナポートにマッピングするステップと、前記２つの仮想アンテナポートのうちの仮想アンテナポート１を、重み値［１，−１］を使用することにより、前記アンテナモジュール内の第２の物理的アンテナポートおよび第３の物理的アンテナポートにマッピングするステップとを含む、請求項４に記載の方法。
【請求項７】
前記アンテナシステムは１つのアンテナモジュールを含み、４つの仮想アンテナポートがあり、前記ＢＢＵにより、前記ＢＢＵの仮想アンテナポートを、前記アンテナシステムの前記アーキテクチャ情報および前記仮想アンテナポートに基づいて、前記アンテナシステム内の物理的アンテナポートにマッピングするステップは、
前記ＢＢＵにより、前記４つの仮想アンテナポートのうちの仮想アンテナポート０を前記アンテナモジュール内の第１の物理的アンテナポートにマッピングするステップと、前記４つの仮想アンテナポートのうちの仮想アンテナポート１を前記アンテナモジュール内の第２の物理的アンテナポートにマッピングするステップと、前記４つの仮想アンテナポートのうちの仮想アンテナポート２を前記アンテナモジュール内の第３の物理的アンテナポートにマッピングするステップと、前記４つの仮想アンテナポートのうちの仮想アンテナポート３を前記アンテナモジュールの第４の物理的アンテナポートにマッピングするステップとを含む、請求項４に記載の方法。
【請求項８】
前記アンテナシステムは２つのアンテナモジュールを含み、各アンテナモジュール内の第１のアンテナアレイにより生成されるビームの垂直ローブのダウンチルト角は、前記アンテナモジュール内の第２のアンテナアレイにより生成されるビームの垂直ローブのダウンチルト角と同じであり、２つの仮想アンテナポートがあり、前記ＢＢＵにより、前記ＢＢＵの仮想アンテナポートを、前記アンテナシステムの前記アーキテクチャ情報および前記仮想アンテナポートに基づいて、前記アンテナシステム内の物理的アンテナポートにマッピングするステップは、
前記ＢＢＵにより、前記２つの仮想アンテナポートのうちの仮想アンテナポート０を、重み値［１，１，１，１］を使用することにより、前記２つのアンテナモジュールのうちの第１のアンテナモジュールの第１の物理的アンテナポート、前記第１のアンテナモジュールの第３の物理的アンテナポート、前記２つのアンテナモジュールのうちの第２のアンテナモジュールの第１の物理的アンテナポートおよび前記第２のアンテナモジュールの第３の物理的アンテナポートにマッピングするステップと、前記２つの仮想アンテナポートのうちの仮想アンテナポート１を、重み値［１，１，１，１］を使用することにより、前記２つのアンテナモジュールのうちの前記第１のアンテナモジュールの第２の物理的アンテナポート、前記第１のアンテナモジュールの第４の物理的アンテナポート、前記２つのアンテナモジュールのうちの前記第２のアンテナモジュールの第２の物理的アンテナポートおよび前記第２のアンテナモジュールの第４の物理的アンテナポートにマッピングするステップとを含む、請求項４に記載の方法。
【請求項９】
前記アンテナシステムは２つのアンテナモジュールを含み、各アンテナモジュール内の第１のアンテナアレイにより生成されるビームの垂直ローブのダウンチルト角は、前記アンテナモジュール内の第２のアンテナアレイにより生成されるビームの垂直ローブのダウンチルト角とは異なり、２つの仮想アンテナポートがあり、前記ＢＢＵにより、前記ＢＢＵの仮想アンテナポートを、前記アンテナシステムの前記アーキテクチャ情報および前記仮想アンテナポートに基づいて、前記アンテナシステム内の物理的アンテナポートにマッピングするステップは、
前記ＢＢＵにより、前記２つの仮想アンテナポートのうちの仮想アンテナポート０を、重み値［１，１，１，１］を使用することにより、前記２つのアンテナモジュールのうちの第１のアンテナモジュールの第１の物理的アンテナポート、前記第１のアンテナモジュールの第４の物理的アンテナポート、前記２つのアンテナモジュールのうちの第２のアンテナモジュールの第１の物理的アンテナポートおよび前記第２のアンテナモジュールの第４の物理的アンテナポートにマッピングするステップと、前記２つの仮想アンテナポートのうちの仮想アンテナポート１を、重み値［−１，１，−１，１］を使用することにより、前記２つのアンテナモジュールのうちの前記第１のアンテナモジュールの第２の物理的アンテナポート、前記第１のアンテナモジュールの第３の物理的アンテナポート、前記２つのアンテナモジュールのうちの前記第２のアンテナモジュールの第２の物理的アンテナポートおよび前記第２のアンテナモジュールの第３の物理的アンテナポートにマッピングするステップとを含む、請求項４に記載の方法。
【請求項１０】
前記アンテナシステムは２つのアンテナモジュールを含み、前記２つのアンテナモジュールのうちの第１のアンテナモジュール内の第１のアンテナアレイにより生成されるビームの垂直ローブのダウンチルト角は、前記第１のアンテナモジュール内の第２のアンテナアレイにより生成されるビームの垂直ローブのダウンチルト角とは異なり、前記２つのアンテナモジュールのうちの第２のアンテナモジュール内の第１のアンテナアレイにより生成されるビームの垂直ローブのダウンチルト角は、前記第２のアンテナモジュール内の第２のアンテナアレイにより生成されるビームの垂直ローブのダウンチルト角と同じであり、２つの仮想アンテナポートがあり、前記ＢＢＵにより、前記ＢＢＵの仮想アンテナポートを、前記アンテナシステムの前記アーキテクチャ情報および前記仮想アンテナポートに基づいて、前記アンテナシステム内の物理的アンテナポートにマッピングするステップは、
前記ＢＢＵにより、前記２つの仮想アンテナポートのうちの仮想アンテナポート０を、重み値［１，１，１，１］を使用することにより、前記２つのアンテナモジュールのうちの前記第１のアンテナモジュールの第１の物理的アンテナポート、前記第１のアンテナモジュールの第４の物理的アンテナポート、前記２つのアンテナモジュールのうちの前記第２のアンテナモジュールの第１の物理的アンテナポートおよび前記第２のアンテナモジュールの第３の物理的アンテナポートにマッピングするステップと、前記２つの仮想アンテナポートのうちの仮想アンテナポート１を、重み値［−１，１，１，１］を使用することにより、前記２つのアンテナモジュールのうちの前記第１のアンテナモジュールの第２の物理的アンテナポート、前記第１のアンテナモジュールの第３の物理的アンテナポート、前記２つのアンテナモジュールのうちの前記第２のアンテナモジュールの第２の物理的アンテナポートおよび前記第２のアンテナモジュールの第４の物理的アンテナポートにマッピングするステップとを含む、請求項４に記載の方法。
【請求項１１】
前記アンテナシステムは２つのアンテナモジュールを含み、４つの仮想アンテナポートがあり、前記ＢＢＵにより、前記ＢＢＵの仮想アンテナポートを、前記アンテナシステムの前記アーキテクチャ情報および前記仮想アンテナポートに基づいて、前記アンテナシステム内の物理的アンテナポートにマッピングするステップは、
前記ＢＢＵにより、前記４つの仮想アンテナポートのうちの仮想アンテナポート０を、重み値［１，１］を使用することにより、前記２つのアンテナモジュールのうちの第１のアンテナモジュールの第１の物理的アンテナポートおよび前記２つのアンテナモジュールのうちの第２のアンテナモジュールの第１の物理的アンテナポートにマッピングするステップと、前記４つの仮想アンテナポートのうちの仮想アンテナポート１を、重み値［１，１］を使用することにより、前記２つのアンテナモジュールのうちの前記第１のアンテナモジュールの第２の物理的アンテナポートおよび前記２つのアンテナモジュールのうちの前記第２のアンテナモジュールの第２の物理的アンテナポートにマッピングするステップと、前記４つの仮想アンテナポートのうちの仮想アンテナポート２を、重み値［１，１］を使用することにより、前記２つのアンテナモジュールのうちの前記第１のアンテナモジュールの第３の物理的アンテナポートおよび前記２つのアンテナモジュールのうちの前記第２のアンテナモジュールの第３の物理的アンテナポートにマッピングするステップと、前記４つの仮想アンテナポートのうちの仮想アンテナポート３を、重み値［１，１］を使用することにより、前記２つのアンテナモジュールのうちの前記第１のアンテナモジュールの第４の物理的アンテナポートおよび前記２つのアンテナモジュールのうちの前記第２のアンテナモジュールの第４の物理的アンテナポートにマッピングするステップとを含む、請求項４に記載の方法。
【請求項１２】
アンテナモジュール内の第１のアンテナアレイにより生成されるビームの垂直ローブのダウンチルト角が、前記アンテナモジュール内の第２のアンテナアレイにより生成されるビームの垂直ローブのダウンチルト角と同じであるとき、前記方法は、
前記ＢＢＵにより、前記アンテナモジュール内の前記第１のアンテナアレイにより生成される前記ビームと前記第２のアンテナアレイにより生成される前記ビームとの間の位相差を補償するステップをさらに含む、請求項３から５、７、８、１０および１１のいずれか一項に記載の方法。
【請求項１３】
前記アンテナモジュール内の前記第１のアンテナアレイにより生成される前記ビームと前記第２のアンテナアレイにより生成される前記ビームとの間の位相差を補償する前記ステップは、
前記ＢＢＵにより、前記アンテナモジュール内の前記第１のアンテナアレイにより生成される前記ビームの位相および前記第２のアンテナアレイにより生成される前記ビームの位相を設定するステップを含み、前記アンテナモジュール内の前記第１のアンテナアレイにより生成される前記ビームの前記位相は、前記アンテナモジュール内の前記第２のアンテナアレイにより生成される前記ビームの前記位相より大きい３６０＊ｓｉｎ（（ＥＴ−１）＊１５／１４．４／１８０＊π）＊３３０＊Ｆｒｑ／３００となり、ＥＴは前記アンテナモジュール内の前記第１のアンテナアレイおよび前記第２のアンテナアレイの各々により生成される前記ビームの前記垂直ローブの前記ダウンチルト角であり、Ｆｒｑは物理的アンテナポートの伝送信号の周波数である、請求項１２に記載の方法。
【請求項１４】
プロセッサ、メモリ、バスおよび通信インターフェースを含む、ベースバンド処理ユニットＢＢＵであって、
前記メモリはコンピュータ実行命令を記憶するように構成されており、前記プロセッサおよび前記メモリは前記バスを介して接続されており、前記プロセッサは前記メモリ内に記憶された前記コンピュータ実行命令を実行して、請求項３から１３のいずれか一項に記載の方法を実施する、ベースバンド処理ユニットＢＢＵ。
【発明の詳細な説明】
【技術分野】
【０００１】
本発明は、通信技術の分野に関し、特に、アンテナシステム、仮想アンテナポートマッピング方法、および装置に関する。
【背景技術】
【０００２】
スマートフォンおよびモバイルインターネットサービスの急速な発展に伴い、事業者ネットワークはますます大きな容量的圧力に直面している。従って、増大するユーザのデータ要求を満たすためにネットワーク容量を増大させ、ネットワーク構築および運用のコストを削減する方法は、全ての事業者が直面する問題である。マイクロ基地局は、大容量および高率によって特徴付けられており、その結果ネットワーク容量を増加させることができ、マクロ基地局のエッジカバレッジエリアでのユーザのインターネットアクセス速度を増大させることができる。マイクロ基地局はまた、様々なバックホールネットワークに適応することができ、より良好なモバイルブロードバンド体験をユーザにもたらすために柔軟かつ迅速に展開することができる。
【０００３】
現在、マイクロ基地局は方式１でネットワークカバレッジを実行し、マクロ基地局は方式２でネットワークカバレッジを実行している。
【０００４】
方式１：図１に示すように、マイクロ基地局のアンテナシステムは、アンテナアレイを含み、アンテナアレイは、６つの縦方向に配列されたアンテナアレイ素子を含み、各アンテナアレイ素子は、１つの正４５度偏波アレイ素子および１つの負４５度偏波アレイ素子を含む。６つの正４５度偏波アレイ素子は物理的アンテナポート０に対応しており、６つの負４５度偏波アレイ素子は、物理的アンテナポート１に対応している。マイクロ基地局内のベースバンド処理ユニット（Ｂａｓｅｂａｎｄ  Ｕｎｉｔ、略してＢＢＵ）は、仮想アンテナポート０（Ｐｏｒｔ  ０）および仮想アンテナポート１（Ｐｏｒｔ  １）を、重み値［１，１］を使用することにより、物理的アンテナポート０および物理的アンテナポート１にそれぞれマッピングし、その結果、アンテナシステムは、マッピングを通じて固定された形状でビームを生成し、それによりネットワークカバレッジを実行する。
【０００５】
方式２：図２に示すように、マクロ基地局のアンテナシステムは、アンテナアレイを含み、アンテナアレイは２列のアンテナアレイ素子を含み、各列は６個の縦方向に配列されたアンテナアレイ素子を含み、各アンテナアレイ素子は１つの正４５度偏波アレイ素子および１つの負４５度偏波アレイ素子を含む。１列目におけるアンテナアレイ素子の６つの正４５度偏波アレイ素子は物理的アンテナポート０に対応しており、１列目におけるアンテナアレイ素子の６つの負４５度偏波アレイ素子は物理的アンテナポート１に対応しており、２列目におけるアンテナアレイ素子の６つの正４５度偏波アレイ素子は物理的アンテナポート２に対応しており、２列目におけるアンテナアレイ素子の６つの負４５度偏波アレイ素子は物理的アンテナポート３に対応している。マクロ基地局におけるＢＢＵは、仮想アンテナポート０（Ｐｏｒｔ  ０）を物理的アンテナポート０および物理的アンテナポート１にマッピングし、仮想アンテナポート１（Ｐｏｒｔ  １）を物理的アンテナポート２および物理的アンテナポート３にマッピングし、その結果、アンテナシステムはマッピングを通じて固定された形状のビームを生成し、それによりネットワークカバレッジを実行する。
【０００６】
方式１は、低層住宅エリアおよび街路のカバレッジのシナリオにのみ適用することができ、主な設置方式は、アンテナシステムを街路上のポールの本体に設置することである。方式２は、建築が密集していない幅広いカバレッジのシナリオに適用される。無線遠隔ユニット（Ｒａｄｉｏ  Ｒｅｍｏｔｅ  Ｕｎｉｔ、略してＲＲＵ）およびマクロ基地局のアンテナシステムは、体積および重量が比較的大きいので、方式２は、低層住宅エリアおよび街路のカバレッジのシナリオには適用することができない。方式１および方式２におけるアンテナシステムでは、アンテナシステムにより生成される垂直方向のビームは、固定的にナロービームである。従って、方式１も方式２も、中層または高層のカバレッジのシナリオを満たすことができない。
【発明の概要】
【課題を解決するための手段】
【０００７】
本発明の実施形態は、中層または高層建築におけるネットワークカバレッジを実行するためのアンテナシステム、仮想アンテナポートマッピング方法および装置を提供する。
【０００８】
前述の目的を達成するために、本発明の実施形態では以下の技術的解決手段が使用される。
【０００９】
第１の態様によれば、アンテナシステムが提供され、アンテナシステムは、少なくとも１つのアンテナモジュールであって、アンテナモジュールは縦方向に配列された第１のアンテナアレイおよび縦方向に配列された第２のアンテナアレイを含む、少なくとも１つのアンテナモジュールと、少なくとも１つのアンテナモジュールと一対一に対応する少なくとも１つの電気調整グループであって、電気調整グループは第１の電気調整および第２の電気調整を含む、少なくとも１つの電気調整グループとを含み、各アンテナモジュールに対応する電気調整グループにおける第１の電気調整は、アンテナモジュール内の第１のアンテナアレイに接続され、アンテナモジュール内の第１のアンテナアレイにより生成されるビームの垂直ローブのダウンチルト角を調整するように構成されており、各アンテナモジュールに対応する電気調整グループにおける第２の電気調整は、アンテナモジュール内の第２のアンテナアレイに接続され、アンテナモジュール内の第２のアンテナアレイにより生成されるビームの垂直ローブのダウンチルト角を調整するように構成されている。
【００１０】
第１の態様において提供されるアンテナシステムは、少なくとも２つのアンテナアレイを含む。従って、少なくとも２つのビームを生成することができ、２つのビームの方向は電気調整を使用することにより制御することができ、その結果、２つのビームは垂直寸法のワイドビーム（またはナロービーム）を共同で形成し、高層建築（または低層建築）におけるネットワークカバレッジを実行する。
【００１１】
可能な設計において、アンテナモジュールにおける第１のアンテナアレイは、Ｎ１個の縦方向に配列されたアンテナアレイ素子を含み、アンテナモジュールにおける第２のアンテナアレイは、Ｎ２個の縦方向に配列されたアンテナアレイ素子を含み、各アンテナアレイ素子は、１つの正４５度偏波アレイ素子および１つの負４５度偏波アレイ素子を含み、第１のアンテナアレイのＮ１個の正４５度偏波アレイ素子は、第３の物理的アンテナポートに対応しており、第１のアンテナアレイのＮ１個の負４５度偏波アレイ素子は第４の物理的アンテナポートに対応しており、第２のアンテナアレイのＮ２個の正４５度偏波アレイ素子は第１の物理的アンテナポートに対応しており、第２のアンテナアレイのＮ２個の負４５度偏波アレイ素子は第２の物理的アンテナポートに対応しており、Ｎ１およびＮ２は両方とも０より大きい整数である。
【００１２】
第２の態様によれば、仮想アンテナポートマッピング方法が提供され、本方法は、ベースバンド処理ユニットＢＢＵにより、アンテナシステムのアーキテクチャ情報を取得するステップであって、アンテナシステムは、少なくとも１つのアンテナモジュールを含み、アンテナモジュールは、縦方向に配列された第１のアンテナアレイおよび縦方向に配列された第２のアンテナアレイを含み、第１のアンテナアレイにより生成されるビームの垂直ローブのダウンチルト角は、第２のアンテナアレイにより生成されるビームの垂直ローブのダウンチルト角と同じであるか、または異なる、取得するステップと、ＢＢＵにより、ＢＢＵの仮想アンテナポートを、アンテナシステムのアーキテクチャ情報および仮想アンテナポートに基づいて、アンテナシステム内の物理的アンテナポートにマッピングするステップとを含む。
【００１３】
第２の態様において提供される方法によれば、仮想アンテナポートは物理的アンテナポートにマッピングすることができ、その結果、アンテナモジュールは合成ビームを生成することができる。２つのアンテナアレイにより生成され、且つ合成ビームを形成する２つのビームの垂直ローブのダウンチルト角は異なっていてもよいので、合成ビームは、垂直寸法のワイドビームであってもよく、高層建築におけるネットワークカバレッジを実行する。
【００１４】
可能な設計において、アンテナモジュールにおける第１のアンテナアレイは、Ｎ１個の縦方向に配列されたアンテナアレイ素子を含み、アンテナモジュールにおける第２のアンテナアレイは、Ｎ２個の縦方向に配列されたアンテナアレイ素子を含み、各アンテナアレイ素子は、１つの正４５度偏波アレイ素子および１つの負４５度偏波アレイ素子を含み、第１のアンテナアレイのＮ１個の正４５度偏波アレイ素子は第３の物理的アンテナポートに対応しており、第１のアンテナアレイのＮ１個の負４５度偏波アレイ素子は第４の物理的アンテナポートに対応しており、第２のアンテナアレイのＮ２個の正４５度偏波アレイ素子は第１の物理的アンテナポートに対応しており、第２のアンテナアレイのＮ２個の負４５度偏波アレイ素子は第２の物理的アンテナポートに対応しており、Ｎ１およびＮ２は両方とも０より大きい整数である。
【００１５】
可能な設計において、アンテナシステムは１つのアンテナモジュールを含み、アンテナモジュールにおける第１のアンテナアレイにより生成されるビームの垂直ローブのダウンチルト角は、アンテナモジュールにおける第２のアンテナアレイにより生成されるビームの垂直ローブのダウンチルト角と同じであり、２つの仮想アンテナポートがあり、ＢＢＵにより、ＢＢＵの仮想アンテナポートを、アンテナシステムのアーキテクチャ情報および仮想アンテナポートに基づいて、アンテナシステム内の物理的アンテナポートにマッピングするステップは、ＢＢＵにより、２つの仮想アンテナポートのうちの仮想アンテナポート０を、重み値［１，１］を使用することにより、アンテナモジュール内の第１の物理的アンテナポートおよび第３の物理的アンテナポートにマッピングするステップと、２つの仮想アンテナポートのうちの仮想アンテナポート１を、重み値［１，１］を使用することにより、アンテナモジュール内の第２の物理的アンテナポートおよび第４の物理的アンテナポートにマッピングするステップとを含む。
【００１６】
可能な設計において、アンテナモジュールの合成ビームは、垂直寸法のナロービームであり、ナロービームは低層建築および街路におけるネットワークカバレッジを実行し得る。
【００１７】
可能な設計において、アンテナシステムは１つのアンテナモジュールを含み、アンテナモジュール内の第１のアンテナアレイにより生成されるビームの垂直ローブのダウンチルト角は、アンテナモジュールにおける第２のアンテナアレイにより生成されるビームの垂直ローブのダウンチルト角とは異なり、２つの仮想アンテナポートがあり、ＢＢＵにより、ＢＢＵの仮想アンテナポートを、アンテナシステムのアーキテクチャ情報および仮想アンテナポートに基づいて、アンテナシステム内の物理的アンテナポートにマッピングするステップは、ＢＢＵにより、２つの仮想アンテナポートのうちの仮想アンテナポート０を、重み値［１，１］を使用することにより、アンテナモジュール内の第１の物理的アンテナポートおよび第４の物理的アンテナポートにマッピングするステップと、２つの仮想アンテナポートのうちの仮想アンテナポート１を、重み値［１，−１］を使用することにより、アンテナモジュールにおける第２の物理的アンテナポートおよび第３の物理的アンテナポートにマッピングするステップとを含む。
【００１８】
可能な設計において、アンテナモジュールの合成ビームは、垂直寸法のワイドビームであり、ワイドビームは高層建築におけるネットワークカバレッジを実行することができる。
【００１９】
可能な設計において、アンテナシステムは１つのアンテナモジュールを含み、４つの仮想アンテナポートがあり、ＢＢＵにより、ＢＢＵの仮想アンテナポートを、アンテナシステムのアーキテクチャ情報および仮想アンテナポートに基づいて、アンテナシステム内の物理的アンテナポートにマッピングするステップは、ＢＢＵにより、４つの仮想アンテナポートのうちの仮想アンテナポート０を、アンテナモジュール内の第１の物理的アンテナポートにマッピングするステップと、４つの仮想アンテナポートのうちの仮想アンテナポート１を、アンテナモジュール内の第２の物理的アンテナポートにマッピングするステップと、４つの仮想アンテナポートのうちの仮想アンテナポート２を、アンテナモジュール内の第３の物理的アンテナポートにマッピングするステップと、４つの仮想アンテナポートのうちの仮想アンテナポート３を、アンテナモジュール内の第４の物理的アンテナポートにマッピングするステップとを含む。
【００２０】
可能な設計において、アンテナモジュール内の第１のアンテナアレイおよび第２のアンテナアレイにより生成されるビームの垂直ローブのダウンチルト角が同じであるとき、アンテナモジュールの合成ビームは垂直寸法のナロービームであり、ナロービームは、低層建築および街路におけるネットワークカバレッジを実行し得る。アンテナモジュール内の第１のアンテナアレイおよび第２のアンテナアレイにより生成されるビームの垂直ローブのダウンチルト角が異なるとき、アンテナモジュールの合成ビームは垂直寸法のワイドビームであり、ワイドビームは高層建築におけるネットワークカバレッジを実行し得る。
【００２１】
可能な設計において、アンテナシステムは２つのアンテナモジュールを含み、各アンテナモジュール内の第１のアンテナアレイにより生成されるビームの垂直ローブのダウンチルト角は、アンテナモジュール内の第２のアンテナアレイにより生成されるビームの垂直ローブのダウンチルト角と同じであり、２つの仮想アンテナポートがあり、ＢＢＵにより、ＢＢＵの仮想アンテナポートを、アンテナシステムのアーキテクチャ情報および仮想アンテナポートに基づいて、アンテナシステム内の物理的アンテナポートにマッピングするステップは、ＢＢＵにより、２つの仮想アンテナポートのうちの仮想アンテナポート０を、重み値［１，１，１，１］を使用することにより、２つのアンテナモジュールのうちの第１のアンテナモジュールの第１の物理的アンテナポート、第１のアンテナモジュールの第３の物理的アンテナポート、２つのアンテナモジュールのうちの第２のアンテナモジュールの第１の物理的アンテナポートおよび第２のアンテナモジュールの第３の物理的アンテナポートにマッピングするステップと、２つの仮想アンテナポートのうちの仮想アンテナポート１を、重み値［１，１，１，１］を使用することにより、２つのアンテナモジュールのうちの第１のアンテナモジュールの第２の物理的アンテナポート、第１のアンテナモジュールの第４の物理的アンテナポート、２つのアンテナモジュールのうちの第２のアンテナモジュールの第２の物理的アンテナポートおよび第２のアンテナモジュールの第４の物理的アンテナポートにマッピングするステップとを含む。
【００２２】
可能な設計において、第１のアンテナモジュールの合成ビームおよび第２のアンテナモジュールの合成ビームは両方とも垂直寸法のナロービームであり、２つのナロービームは異なる低層建築または街路におけるネットワークカバレッジを実行し得る。
【００２３】
可能な設計において、アンテナシステムは２つのアンテナモジュールを含み、各アンテナモジュール内の第１のアンテナアレイにより生成されるビームの垂直ローブのダウンチルト角は、アンテナモジュール内の第２のアンテナアレイにより生成されるビームの垂直ローブのダウンチルト角とは異なり、２つの仮想アンテナポートがあり、ＢＢＵにより、ＢＢＵの仮想アンテナポートを、アンテナシステムのアーキテクチャ情報および仮想アンテナポートに基づいて、アンテナシステム内の物理的アンテナポートにマッピングするステップは、ＢＢＵにより、２つの仮想アンテナポート内の仮想アンテナポート０を、重み値［１，１，１，１］を使用することにより、２つのアンテナモジュールのうちの第１のアンテナモジュールの第１の物理的アンテナポート、第１のアンテナモジュールの第４の物理的アンテナポート、２つのアンテナモジュールのうちの第２のアンテナモジュールの第１の物理的アンテナポートおよび第２のアンテナモジュールの第４の物理的アンテナポートにマッピングするステップと、２つの仮想アンテナポートのうちの仮想アンテナポート１を、重み値［−１，１，−１，１］を使用することにより、２つのアンテナモジュールのうちの第１のアンテナモジュールの第２の物理的アンテナポート、第１のアンテナモジュールの第３の物理的アンテナポート、２つのアンテナモジュールのうちの第２のアンテナモジュールの第２の物理的アンテナポートおよび第２のアンテナモジュールの第３の物理的アンテナポートにマッピングするステップとを含む。
【００２４】
可能な設計において、第１のアンテナモジュールの合成ビームおよび第２のアンテナモジュールの合成ビームは両方とも垂直寸法のワイドビームであり、２つのワイドビームは異なる高層建築におけるネットワークカバレッジを実行し得る。
【００２５】
可能な設計において、アンテナシステムは２つのアンテナモジュールを含み、２つのアンテナモジュールのうちの第１のアンテナモジュール内の第１のアンテナアレイにより生成されるビームの垂直ローブのダウンチルト角は、第１のアンテナモジュール内の第２のアンテナアレイにより生成されるビームの垂直ローブのダウンチルト角とは異り、２つのアンテナモジュールのうちの第２のアンテナモジュール内の第１のアンテナアレイにより生成されるビームの垂直ローブのダウンチルト角は、第２のアンテナモジュール内の第２のアンテナアレイにより生成されるビームの垂直ローブのダウンチルト角と同じであり、２つの仮想アンテナポートがあり、ＢＢＵにより、ＢＢＵの仮想アンテナポートを、アンテナシステムのアーキテクチャ情報および仮想アンテナポートに基づいて、アンテナシステム内の物理的アンテナポートにマッピングするステップは、ＢＢＵにより、２つの仮想アンテナポートのうちの仮想アンテナポート０を、重み値［１，１，１，１］を使用することにより、２つのアンテナモジュールのうちの第１のアンテナモジュールの第１の物理的アンテナポート、第１のアンテナモジュールの第４の物理的アンテナポート、２つのアンテナモジュールのうちの第２のアンテナモジュールの第１の物理的アンテナポートおよび第２のアンテナモジュールの第３の物理的アンテナポートにマッピングするステップと、２つの仮想アンテナポートのうちの仮想アンテナポート１を、重み値［−１，１，１，１］を使用することにより、２つのアンテナモジュールのうちの第１のアンテナモジュールの第２の物理的アンテナポート、第１のアンテナモジュールの第３の物理的アンテナポート、２つのアンテナモジュールのうちの第２のアンテナモジュールの第２の物理的アンテナポートおよび第２のアンテナモジュールの第４の物理的アンテナポートにマッピングするステップとを含む。
【００２６】
可能な設計において、第１のアンテナモジュールの合成ビームは垂直寸法のワイドビームであり、ワイドビームは高層建築におけるネットワークカバレッジを実行することができ、第２のアンテナモジュールの合成ビームは垂直寸法のナロービームであり、ナロービームは低層建築および街路におけるネットワークカバレッジを実行し得る。
【００２７】
可能な設計において、アンテナシステムは２つのアンテナモジュールを含み、４つの仮想アンテナポートがあり、ＢＢＵにより、ＢＢＵの仮想アンテナポートを、アンテナシステムのアーキテクチャ情報および仮想アンテナポートに基づいて、アンテナシステム内の物理的アンテナポートにマッピングするステップは、ＢＢＵにより、４つの仮想アンテナポートのうちの仮想アンテナポート０を、重み値［１，１］を使用することにより、２つのアンテナモジュールのうちの第１のアンテナモジュールの第１の物理的アンテナポートおよび２つのアンテナモジュールのうちの第２のアンテナモジュールの第１の物理的アンテナポートにマッピングするステップと、４つの仮想アンテナポートのうちの仮想アンテナポート１を、重み値［１，１］を使用することにより、２つのアンテナモジュールのうちの第１のアンテナモジュールの第２の物理的アンテナポートおよび２つのアンテナモジュールのうちの第２のアンテナモジュールの第２の物理的アンテナポートにマッピングするステップと、４つの仮想アンテナポートのうちの仮想アンテナポート２を、重み値［１，１］を使用することにより、２つのアンテナモジュールのうちの第１のアンテナモジュールの第３の物理的アンテナポートおよび２つのアンテナモジュールのうちの第２のアンテナモジュールの第３の物理的アンテナポートにマッピングするステップと、４つの仮想アンテナポートのうちの仮想アンテナポート３を、重み値［１，１］を使用することにより、２つのアンテナモジュールのうちの第１のアンテナモジュールの第４の物理的アンテナポートおよび２つのアンテナモジュールのうちの第２のアンテナモジュールの第４の物理的アンテナポートにマッピングするステップとを含む。
【００２８】
可能な設計において、２つのアンテナモジュールの各々における第１のアンテナアレイおよび第２のアンテナアレイにより生成されるビームの垂直ローブのダウンチルト角が同じであるとき、２つのアンテナモジュールにより生成される合成ビームは両方とも垂直寸法のナロービームであり、２つのナロービームは、異なる低層建築または街路におけるネットワークカバレッジを実行し得る。２つのアンテナモジュールの各々における第１のアンテナアレイおよび第２のアンテナアレイにより生成されるビームの垂直ローブのダウンチルト角が異なるとき、２つのアンテナモジュールにより生成される合成ビームは両方とも垂直寸法のワイドビームであり、２つのワイドビームは、異なる高層建築におけるネットワークカバレッジを実行し得る。２つのアンテナモジュールの一方における第１のアンテナアレイおよび第２のアンテナアレイにより生成されるビームの垂直ローブのダウンチルト角が同じであるとき、アンテナモジュールにより生成される合成ビームは、垂直寸法のナロービームであり、これは低層建築または街路におけるネットワークカバレッジを実行し得る。２つのアンテナモジュールの他方における第１のアンテナアレイおよび第２のアンテナアレイにより生成されるビームの垂直ローブのダウンチルト角が異なるとき、アンテナモジュールにより生成される合成ビームは、垂直寸法のワイドビームであり、これは高層建築におけるネットワークカバレッジを実行し得る。
【００２９】
可能な設計において、アンテナモジュール内の第１のアンテナアレイにより生成されるビームの垂直ローブのダウンチルト角が、アンテナモジュール内の第２のアンテナアレイにより生成されるビームの垂直ローブのダウンチルト角と同じであるとき、本方法は、ＢＢＵにより、アンテナモジュール内の第１のアンテナアレイにより生成されるビームと第２のアンテナアレイにより生成されるビームとの間の位相差を補償するステップをさらに含む。
【００３０】
可能な設計において、アンテナモジュール内の第１のアンテナアレイにより生成されるビームと第２のアンテナアレイにより生成されるビームとの間の位相差を補償するステップは、ＢＢＵにより、アンテナモジュール内の第１のアンテナアレイにより生成されるビームの位相および第２アンテナアレイにより生成されるビームの位相を設定するステップを含み、アンテナモジュール内の第１のアンテナアレイにより生成されるビームの位相は、アンテナモジュール内の第２のアンテナアレイにより生成されるビームの位相より大きい３６０＊ｓｉｎ（（ＥＴ−１）＊１５／１４．４／１８０＊π）＊３３０＊Ｆｒｑ／３００となり、ＥＴはアンテナモジュール内の第１のアンテナアレイおよび第２のアンテナアレイの各々により生成されるビームの垂直ローブのダウンチルト角であり、Ｆｒｑは物理的アンテナポートの伝送信号の周波数である。
【００３１】
第３の態様によれば、ＢＢＵが提供され、ＢＢＵは、アンテナシステムのアーキテクチャ情報を取得するように構成されている取得ユニットであって、アンテナシステムは少なくとも１つのアンテナモジュールを含み、アンテナモジュールは縦方向に配列された第１のアンテナアレイおよび縦方向に配列された第２のアンテナアレイを含み、第１のアンテナアレイにより生成されるビームの垂直ローブのダウンチルト角は、第２のアンテナアレイにより生成されるビームの垂直ローブのダウンチルト角と同じであるか、または異なる、取得ユニットと、ＢＢＵの仮想アンテナポートを、アンテナシステムのアーキテクチャ情報および仮想アンテナポートに基づいて、アンテナシステム内の物理的アンテナポートにマッピングするように構成されている処理ユニットとを含む。
【００３２】
可能な設計において、アンテナモジュール内の第１のアンテナアレイは、Ｎ１個の縦方向に配列されたアンテナアレイ素子を含み、アンテナモジュール内の第２のアンテナアレイは、Ｎ２個の縦方向に配列されたアンテナアレイ素子を含み、各アンテナアレイ素子は、１つの正４５度偏波アレイ素子および１つの負４５度偏波アレイ素子を含み、第１のアンテナアレイのＮ１個の正４５度偏波アレイ素子は、第３の物理的アンテナポートに対応しており、第１のアンテナアレイのＮ１個の負４５度偏波アレイ素子は、第４の物理的アンテナポートに対応しており、第２のアンテナアレイのＮ２個の正４５度偏波アレイ素子は第１の物理的アンテナポートに対応しており、第２のアンテナアレイのＮ２個の負４５度偏波アレイ素子は、第２の物理的アンテナポートに対応しており、Ｎ１およびＮ２は両方とも０より大きい整数である。
【００３３】
可能な設計において、アンテナシステムは１つのアンテナモジュールを含み、アンテナモジュール内の第１のアンテナアレイにより生成されるビームの垂直ローブのダウンチルト角は、アンテナモジュール内の第２のアンテナアレイにより生成されるビームの垂直ローブのダウンチルト角と同じであり、２つの仮想アンテナポートがあり、処理ユニットは、ＢＢＵにより、２つの仮想アンテナポートのうちの仮想アンテナポート０を、重み値［１，１］を使用することにより、アンテナモジュール内の第１の物理的アンテナポートおよび第３の物理的アンテナポートにマッピングし、２つの仮想アンテナポートのうちの仮想アンテナポート１を、重み値［１，１］を使用することにより、アンテナモジュール内の第２の物理的アンテナポートおよび第４の物理的アンテナポートにマッピングするように具体的に構成されている。
【００３４】
可能な設計において、アンテナシステムは１つのアンテナモジュールを含み、アンテナモジュール内の第１のアンテナアレイにより生成されるビームの垂直ローブのダウンチルト角は、アンテナモジュール内の第２のアンテナアレイにより生成されるビームの垂直ローブのダウンチルト角とは異なり、２つの仮想アンテナポートがあり、処理ユニットは、ＢＢＵにより、２つの仮想アンテナポートのうちの仮想アンテナポート０を、重み値［１，１］を使用することにより、アンテナモジュール内の第１の物理的アンテナポートおよび第４の物理的アンテナポートにマッピングし、２つの仮想アンテナポートのうちの仮想アンテナポート１を、重み値［１、−１］を使用することにより、アンテナモジュール内の第２の物理的アンテナポートおよび第３の物理的アンテナポートにマッピングするように具体的に構成されている。
【００３５】
可能な設計において、アンテナシステムは１つのアンテナモジュールを含み、４つの仮想アンテナポートがあり、処理ユニットは、ＢＢＵにより、４つの仮想アンテナポートのうちの仮想アンテナポート０を、アンテナモジュール内の第１の物理的アンテナポートにマッピングし、４つの仮想アンテナポートのうちの仮想アンテナポート１をアンテナモジュール内の第２の物理的アンテナポートにマッピングし、４つの仮想アンテナポートのうちの仮想アンテナポート２をアンテナモジュール内の第３の物理的アンテナポートにマッピングし、および４つの仮想アンテナポートのうちの仮想アンテナポート３をアンテナモジュール内の第４の物理的アンテナポートにマッピングするように具体的に構成されている。
【００３６】
可能な設計において、アンテナシステムは２つのアンテナモジュールを含み、各アンテナモジュール内の第１のアンテナアレイにより生成されるビームの垂直ローブのダウンチルト角は、アンテナモジュール内の第２のアンテナアレイにより生成されるビームの垂直ローブのダウンチルト角と同じであり、２つの仮想アンテナポートがあり、処理ユニットは、ＢＢＵにより、２つの仮想アンテナポートのうちの仮想アンテナポート０を、重み値［１，１，１，１］を使用することにより、２つのアンテナモジュールのうちの第１のアンテナモジュールの第１の物理的アンテナポート、第１のアンテナモジュールの第３の物理的アンテナポート、２つのアンテナモジュールのうちの第２のアンテナモジュールの第１の物理的アンテナポートおよび第２のアンテナモジュールの第３の物理的アンテナポートにマッピングし、２つの仮想アンテナポートのうちの仮想アンテナポート１を、重み値［１，１，１，１］を使用することにより、２つのアンテナモジュールのうちの第１のアンテナモジュールの第２の物理的アンテナポート、第１のアンテナモジュールの第４の物理的アンテナポート、２つのアンテナモジュールのうちの第２のアンテナモジュールの第２の物理的アンテナポートおよび第２のアンテナモジュールの第４の物理的アンテナポートにマッピングするように具体的に構成されている。
【００３７】
可能な設計において、アンテナシステムは２つのアンテナモジュールを含み、各アンテナモジュール内の第１のアンテナアレイにより生成されるビームの垂直ローブのダウンチルト角は、アンテナモジュール内の第２のアンテナアレイにより生成されるビームの垂直ローブのダウンチルト角とは異なり、２つの仮想アンテナポートがあり、処理ユニットは、ＢＢＵにより、２つの仮想アンテナポートのうちの仮想アンテナポート０を、重み値［１，１，１，１］を使用することにより、２つのアンテナモジュールのうちの第１のアンテナモジュールの第１の物理的アンテナポート、第１のアンテナモジュールの第４の物理的アンテナポート、２つのアンテナモジュールのうちの第２のアンテナモジュールの第１の物理的アンテナポートおよび第２のアンテナモジュールの第４の物理的アンテナポートにマッピングし、２つの仮想アンテナポートのうちの仮想アンテナポート１を、重み値［−１，１、−１，１］を使用することにより、２つのアンテナモジュールのうちの第１のアンテナモジュールの第２の物理的アンテナポート、第１のアンテナモジュールの第３の物理的アンテナポート、２つのアンテナモジュールのうちの第２のアンテナモジュールの第２の物理的アンテナポートおよび第２のアンテナモジュールの第３の物理的アンテナポートにマッピングするように具体的に構成されている。
【００３８】
可能な設計において、アンテナシステムは２つのアンテナモジュールを含み、２つのアンテナモジュールのうちの第１のアンテナモジュール内の第１のアンテナアレイにより生成されるビームの垂直ローブのダウンチルト角は、第１のアンテナモジュール内の第２のアンテナアレイにより生成されるビームの垂直ローブのダウンチルト角とは異なり、２つのアンテナモジュールのうちの第２のアンテナモジュール内の第１のアンテナアレイにより生成されるビームの垂直ローブのダウンチルト角は、第２のアンテナモジュール内の第２のアンテナアレイにより生成されるビームの垂直ローブのダウンチルト角と同じであり、２つの仮想アンテナポートがあり、処理ユニットは、ＢＢＵにより、２つの仮想アンテナポートのうちの仮想アンテナポート０を、重み値［１，１，１，１］を使用することにより、２つのアンテナモジュールのうちの第１のアンテナモジュールの第１の物理的アンテナポート、第１のアンテナモジュールの第４の物理的アンテナポート、２つのアンテナモジュールのうちの第２のアンテナモジュールの第１の物理的アンテナポートおよび第２のアンテナモジュールの第３の物理的アンテナポートにマッピングし、２つの仮想アンテナポートのうちの仮想アンテナポート１を、重み値［−１，１，１，１］を使用することにより、２つのアンテナモジュール内の第１のアンテナモジュールの第２の物理的アンテナポート、第１のアンテナモジュールの第３の物理的アンテナポート、２つのアンテナモジュールのうちの第２のアンテナモジュールの第２の物理的アンテナポートおよび第２のアンテナモジュールの第４の物理的アンテナポートにマッピングするように具体的に構成されている。
【００３９】
可能な設計において、アンテナシステムは２つのアンテナモジュールを含み、４つの仮想アンテナポートがあり、処理ユニットは、ＢＢＵにより、４つの仮想アンテナポートのうちの仮想アンテナポート０を、重み値［１，１］を使用することにより、２つのアンテナモジュールのうちの第１のアンテナモジュールの第１の物理的アンテナポートおよび２つのアンテナモジュールのうちの第２のアンテナモジュールの第１の物理的アンテナポートにマッピングし、４つの仮想アンテナポートのうちの仮想アンテナポート１を、重み値［１，１］を使用することにより、２つのアンテナモジュールのうちの第１のアンテナモジュールの第２の物理的アンテナポートおよび２つのアンテナモジュールのうちの第２のアンテナモジュールの第２の物理的アンテナポートにマッピングし、４つの仮想アンテナポートのうちの仮想アンテナポート２を、重み値［１，１］を使用することにより、２つのアンテナモジュールのうちの第１のアンテナモジュールの第３の物理的アンテナポートおよび２つのアンテナモジュールのうちの第２のアンテナモジュールの第３の物理的アンテナポートにマッピングし、４つの仮想アンテナポートのうちの仮想アンテナポート３を、重み値［１，１］を使用することにより、２つのアンテナモジュールのうちの第１のアンテナモジュールの第４の物理的アンテナポートおよび２つのアンテナモジュールのうちの第２のアンテナモジュールの第４の物理的アンテナポートにマッピングするように具体的に構成されている。
【００４０】
可能な設計において、アンテナモジュール内の第１のアンテナアレイにより生成されるビームの垂直ローブのダウンチルト角が、アンテナモジュール内の第２のアンテナアレイにより生成されるビームの垂直ローブのダウンチルト角と同じであるとき、処理ユニットは、アンテナモジュール内の第１のアンテナアレイにより生成されるビームと第２のアンテナアレイにより生成されるビームとの間の位相差を補償するようにさらに構成されている。
【００４１】
可能な設計において、処理ユニットは、アンテナモジュール内の第１のアンテナアレイにより生成されるビームの位相および第２のアンテナアレイにより生成されたビームの位相を設定するように具体的に構成されており、アンテナモジュール内の第１のアンテナアレイにより生成されるビームの位相は、アンテナモジュール内の第２のアンテナアレイにより生成されるビームの位相より大きい３６０＊ｓｉｎ（（ＥＴ−１）＊１５／１４．４／１８０＊π）＊３３０＊Ｆｒｑ／３００となり、ＥＴは、アンテナモジュール内の第１アンテナアレイおよび第２アンテナアレイの各々により生成されるビームの垂直ローブのダウンチルト角であり、Ｆｒｑは、物理的アンテナポートの伝送信号の周波数である。
【００４２】
第４の態様によれば、プロセッサ、メモリ、バス、および通信インターフェースを含むＢＢＵが提供される。メモリはコンピュータ実行命令を記憶するように構成されている。プロセッサおよびメモリはバスを介して接続されている。プロセッサは、メモリに記憶されたコンピュータ実行命令を実行して、第１の態様において提供される任意の方法を実行する。
【００４３】
第３の態様および第４の態様における設計手法のいずれかによりもたらされる技術的効果については、第１の態様における異なる設計手法によりもたらされる技術的効果を参照されたい。詳細はここでは繰り返し説明しない。
【００４４】
第５の態様によれば、ＢＢＵにより使用されるコンピュータソフトウェア命令を記憶するように構成されているコンピュータストレージ媒体が提供される。コンピュータソフトウェア命令は、第１の態様において提供される任意の方法を実行するために設計されたプログラムを含む。
【図面の簡単な説明】
【００４５】
【図１】従来技術におけるアンテナシステムの概略構成図である。
【図２】従来技術における別のアンテナシステムの概略構成図である。
【図３】本発明の実施形態による分散基地局の概略構成図である。
【図４】本発明の実施形態によるＢＢＵの概略構成図である。
【図５】本発明の実施形態によるアンテナシステムの概略構成図である。
【図６】本発明の実施形態による別のアンテナシステムの概略構成図である。
【図７】本発明の実施形態による、アンテナモジュールにより生成されるビームが低層建築をカバーする概略図である。
【図８】本発明の実施形態による、アンテナモジュールにより生成されるビームが高層建築をカバーする概略図である。
【図９】本発明の実施形態による、仮想アンテナポートマッピング方法のフローチャートである。
【図１０】本発明の実施形態による、仮想アンテナポートを物理的アンテナポートにマッピングする概略図である。
【図１１】本発明の実施形態による、仮想アンテナポートを物理的アンテナポートにマッピングする別の概略図である。
【図１２】本発明の実施形態による、仮想アンテナポートを物理的アンテナポートにマッピングする別の概略図である。
【図１３】本発明の実施形態による、仮想アンテナポートを物理的アンテナポートにマッピングする別の概略図である。
【図１４】本発明の実施形態による、２つのアンテナモジュールが異なる低層建築におけるネットワークカバレッジを実行する概略図である。
【図１５】本発明の実施形態による、仮想アンテナポートを物理的アンテナポートにマッピングする別の概略図である。
【図１６】本発明の実施形態による、２つのアンテナモジュールが異なる高層建築におけるネットワークカバレッジを実行する概略図である。
【図１７】本発明の実施形態による、仮想アンテナポートを物理的アンテナポートにマッピングする別の概略図である。
【図１８】本発明の実施形態による、２つのアンテナモジュールが高層建築および低層建築におけるネットワークカバレッジをそれぞれ実行する概略図である。
【図１９】本発明の実施形態による、仮想アンテナポートを物理的アンテナポートにマッピングする別の概略図である。
【図２０】本発明の実施形態による、ＢＢＵの概略構成図である。
【図２１】本発明の実施形態による、他のＢＢＵの概略構成図である。
【発明を実施するための形態】
【００４６】
本発明の実施形態において提供される解決手段は、特定の実施形態を用いて以下に詳細に説明される。
【００４７】
本発明の実施形態の以下の説明における第１のアンテナモジュールおよび第２のアンテナモジュールにおける「第１」および「第２」は、任意のアンテナモジュールを示しており、特定の意味ではなく、２つのアンテナモジュールの間を区別することを単に意図している。同様に、第１のアンテナアレイおよび第２のアンテナアレイにおける「第１」および「第２」は、２つのアンテナアレイの間を区別することを単に意図している。他の説明における「第１」、「第２」、「第３」、「第４」もまた区別するためのものである。
【００４８】
本発明の実施形態において提供される方法は、分散基地局に適用することができる。図３に示すように、分散基地局は、ＢＢＵと、光ファイバを介してＢＢＵに接続されたＲＲＵとを含み、ＲＲＵは給電線を介してアンテナシステムに接続され、アンテナシステムは電磁波を送信（または受信）することにより情報を送信（または受信）する。ＢＢＵは、ベースバンド信号処理、伝送、主制御、およびクロックなどの機能を完成させるように構成されている。ＲＲＵは、無線周波数信号をフィルタリング、増幅、およびアップコンバートまたはダウンコンバートし、デジタル中間周波技術を使用することにより中間周波アナログ信号をベースバンドデジタル信号に変換するように構成されている。具体的には、あるいは、ＲＲＵはアンテナシステムと統合して、アクティブアンテナユニット（Ａｃｔｉｖｅ  Ａｎｔｅｎｎａ  Ｕｎｉｔ、略してＡＡＵ）を形成し、基地局サイトが何時でも何処でも利用可能であり、ＡＡＵが環境に優しく容易に配置することができるという基本要件を満たすことができる。
【００４９】
図４に示すように、ＢＢＵは通常、制御システムと、制御システムに接続された電源および環境監視システムと、制御システム並びに電源および環境監視システムの両方に接続された伝送システムおよびベースバンドシステム等とを含む。制御システムは、分散基地局全体を管理することであって、運用保守およびシグナリング処理を含む管理をすること、およびシステムクロックを提供するように構成されている。電源および環境監視システムは、電源を変換し、外部監視インターフェースを提供するように構成されている。伝送システムは、制御システムと電源および環境監視システムとの間で交換された情報を伝送するように構成されている。ベースバンドシステムは、アップリンクおよびダウンリンクデータのベースバンド処理機能を完成するように構成されている。
【００５０】
従来技術において存在する問題に基づいて、本発明の実施形態はアンテナシステムを提供する。アンテナシステムは、
図５に示すように、少なくとも１つのアンテナモジュール５０であって、縦方向に配列された第１のアンテナアレイ５０１および縦方向に配列された第２のアンテナアレイ５０２とを含む、少なくとも１つのアンテナモジュール５０と、
図５に示すように、少なくとも１つのアンテナモジュール５０と一対一に対応する少なくとも１つの電気調整グループ５０’とを含み、電気調整グループ５０’は、第１の電気調整５０１’および第２の電気調整５０２’を含み、各アンテナモジュール５０に対応する電気調整グループ５０’のうちの第１の電気調整５０１’は、アンテナモジュール５０内の第１のアンテナアレイ５０１に接続されており、アンテナモジュール５０内の第１のアンテナアレイ５０１により生成されるビームの垂直ローブのダウンチルト角を調整するように構成されており、各アンテナモジュール５０に対応する電気調整グループ５０’のうちの第２の電気調整５０２’は、アンテナモジュール５０内の第２のアンテナアレイ５０２に接続されており、アンテナモジュール５０内の第２のアンテナアレイ５０２により生成されるビームの垂直ローブのダウンチルト角を調整するように構成されている。
【００５１】
アンテナモジュールに対応する電気調整グループ内の電気調整は、アンテナモジュール内の２つのアンテナアレイにより生成されるビームの垂直ローブのダウンチルト角を調整することができ、ビームの垂直ローブのダウンチルト角は、ビームの方向と水平線との間の夾角であり、従って、２つのアンテナアレイにより生成されるビームの方向を調整することができ、その結果、２つのアンテナアレイにより生成されるビームは、垂直寸法のワイドビームまたは垂直寸法のナロービームを共同で形成する。説明を容易にするために、以下の説明では、アンテナモジュール内の２つのアンテナアレイにより生成される２つのビームにより共同で形成されるビームは、アンテナモジュールの「合成ビーム」と呼ばれる。
【００５２】
具体的には、アンテナモジュール内の２つのアンテナアレイにより生成される２つのビームの垂直ローブのダウンチルト角が同じであるとき、アンテナモジュールの合成ビームは垂直寸法のナロービームである。アンテナモジュール内の２つのアンテナアレイにより生成される２つのビームの垂直ローブのダウンチルト角が異なるとき、アンテナモジュールの合成ビームは垂直寸法のワイドビームである。２つのアンテナアレイにより生成されるビームの垂直ローブのダウンチルト角の間の差が大きいほど、垂直方向における合成ビームの幅が大きいことを示している。
【００５３】
任意で、図６に示すように、アンテナモジュール内の第１のアンテナアレイは、Ｎ１個の縦方向に配列されたアンテナアレイ素子を含み、アンテナモジュール内の第２のアンテナアレイは、Ｎ２個の縦方向に配列されたアンテナアレイ素子を含み、各アンテナアレイ素子は、１つの正４５度偏波アレイ素子および１つの負４５度偏波アレイ素子を含み、第１のアンテナアレイのＮ１個の正４５度偏波アレイ素子は、第３の物理的アンテナポートに対応しており、第１のアンテナアレイのＮ１個の負４５度偏波アレイ素子は、第４の物理的アンテナポートに対応しており、第２のアンテナアレイのＮ２個の正４５度偏波アレイ素子は第１の物理的アンテナポートに対応しており、第２のアンテナアレイのＮ２個の負４５度偏波アレイ素子は第２の物理的アンテナポートに対応しており、Ｎ１およびＮ２は両方とも０より大きい整数である。通常、Ｎ１＝Ｎ２である。例えば、Ｎ１＝Ｎ２＝３が図６の図面に対して使用されている。
【００５４】
加えて、Ｎ１およびＮ２の合計は、通常、０より大きい偶数である。
【００５５】
アンテナシステム内の各アンテナモジュールは、基地局内のＲＲＵに接続されており、アンテナシステム内のアンテナモジュールの数は、通常１または２に設定される。アンテナシステム内に１つのアンテナモジュールがあるとき、アンテナシステムは４つの物理的アンテナポートを含み、その数は図１に示されるアンテナシステム（すなわち、従来技術の方式１で提供されるアンテナシステム）における物理的アンテナポートの数より多い。この場合、図１に示されたアンテナシステムと比較して、本発明のこの実施形態において提供されるアンテナシステムは、より高い容量に対するネットワークシステムの要件を満たすことができる。アンテナシステム内に２つのアンテナモジュールがあるとき、アンテナシステムは８つの物理的アンテナポートを含み、その数は図１に示されるアンテナシステムおよび図２に示されるアンテナシステム（すなわち、従来技術における方式２で提供されるアンテナシステム）の各々における物理的アンテナポートの数よりも大きい。この場合、図１に示したアンテナシステムおよび図２に示したアンテナシステムと比較して、本発明のこの実施形態において提供されるアンテナシステムは、より高い容量に対するネットワークシステムの要件を満たすことができる。
【００５６】
例えば、図７および図８に示すように、アンテナシステムが１つのアンテナモジュールを含むとき、アンテナモジュールはポール（例えば電柱）によって支持され、ビーム１はアンテナモジュール内の第１のアンテナアレイにより生成されるビームを示しており、αはビーム１の垂直ローブのダウンチルト角であり、ビーム２は、アンテナモジュール内の第２のアンテナアレイにより生成されるビームを示しており、βはビーム２の垂直ローブのダウンチルト角である。図７に示すように、αおよびβが同じであるとき、アンテナモジュールの合成ビームは、垂直寸法のナロービームであり、ナロービームは低層建築および街路におけるネットワークカバレッジを実行するように使用され得る。図８に示すように、αおよびβが異なるとき、アンテナモジュールの合成ビームは、垂直寸法のワイドビームであり、ワイドビームは高層建築におけるネットワークカバレッジを実行するように使用され得る。
【００５７】
２つのビームの方向が水平線の上側および下側にあるとき、αおよびβの一方が正の値であり、他方が負の値であることに注目すべきである。
【００５８】
本発明のこの実施形態において提供されるアンテナシステムは、少なくとも２つのアンテナアレイを含む。従って、少なくとも２つのビームを生成することができ、２つのビームの方向は電気調整を使用することにより制御することができ、その結果、２つのビームは垂直寸法のワイドビーム（またはナロービーム）を共同で形成して、高層建築（または低層建築）におけるネットワークカバレッジを実行する。
【００５９】
本発明の実施形態は、仮想アンテナポートマッピング方法をさらに提供する。図９に示すように、本方法は以下のステップを含む。
【００６０】
９０１．ＢＢＵがアンテナシステムのアーキテクチャ情報を取得する。
【００６１】
アンテナシステムは、少なくとも１つのアンテナモジュールを含み、アンテナモジュールは、縦方向に配列された第１のアンテナアレイおよび縦方向に配列された第２のアンテナアレイを含み、第１のアンテナアレイにより生成されるビームの垂直ローブのダウンチルト角は、第２のアンテナアレイにより生成されるビームの垂直ローブのダウンチルト角と同じであるか、または異なる。
【００６２】
この実施形態において提供される方法は、ＢＢＵ内のベースバンドシステムにより具体的に実行され得る。
【００６３】
アンテナシステムのアーキテクチャ情報は、アンテナシステムに関する任意の情報、例えば、アンテナシステムに含まれるアンテナモジュールの数、アンテナモジュールに含まれるアンテナアレイの数および配列方法、アンテナアレイに含まれるアンテナアレイ素子の数および配列方法、物理的アンテナポートの数並びに物理的アンテナポートと偏波アレイ素子との間の対応関係を含み得る。
【００６４】
アンテナシステムがＲＲＵと統合されてＡＡＵを形成するとき、アンテナシステムのアーキテクチャ情報は、ＡＡＵにより直接ＢＢＵに報告され得る。アンテナシステムがＲＲＵと統合されていないとき、アンテナシステムのアーキテクチャ情報は、アンテナシステムによりＲＲＵに報告され、次いでＲＲＵによりＢＢＵに報告され得る。
【００６５】
具体的には、アンテナシステムは、少なくとも１つのアンテナモジュールと一対一に対応している少なくとも１つの電気調整グループを含み得る。電気調整グループは、第１の電気調整および第２の電気調整を含む。各アンテナモジュールに対応する電気調整グループのうちの第１の電気調整は、アンテナモジュール内の第１のアンテナアレイに接続されており、アンテナモジュール内の第１のアンテナアレイにより生成されるビームの垂直ローブのダウンチルト角を調整するように構成されている。各アンテナモジュールに対応する電気調整グループのうちの第２の電気調整は、アンテナモジュール内の第２のアンテナアレイに接続されており、アンテナモジュール内の第２のアンテナアレイにより生成されるビームの垂直ローブのダウンチルト角を調整するように構成されている。従って、電気調整は、第１のアンテナアレイにより生成されるビームの垂直ローブのダウンチルト角を、第２のアンテナアレイにより生成されるビームの垂直ローブのダウンチルト角と同じか、または異なるようにすることを可能にするために使用され得る。
【００６６】
９０２．ＢＢＵは、ＢＢＵの仮想アンテナポートを、アンテナシステムのアーキテクチャ情報および仮想アンテナポートに基づいて、アンテナシステム内の物理的アンテナポートにマッピングする。
【００６７】
具体的には、ＢＢＵは、仮想アンテナマッピング（Ｖｉｒｔｕａｌ  Ａｎｔｅｎｎａ  Ｍａｐｐｉｎｇ、略してＶＡＭ）アルゴリズムを使用することにより、仮想アンテナポートを物理的アンテナポートにマッピングし得る。
【００６８】
アンテナモジュール内の第１のアンテナアレイおよび第２のアンテナアレイにより生成されるビームの垂直ローブのダウンチルト角が固定されているとき、仮想アンテナポートは物理的アンテナポートにマッピングされ、その結果、アンテナシステム内の各アンテナモジュールは、様々なシナリオの用途要件を満たすために、特定の形状、特定のビーム幅および特定のアンテナゲインを有する１つの合成ビームを生成することができる。詳細については、図７および図８の説明を参照されたい。具体的には、アンテナアレイにより生成されるビームの垂直ローブのダウンチルト角は、アンテナアレイに対応する電気調整を調整することによって調整され得る。
【００６９】
本発明のこの実施形態において提供される方法によれば、仮想アンテナポートは物理的アンテナポートにマッピングされてもよく、その結果、アンテナモジュールは合成ビームを生成することができる。２つのアンテナアレイにより生成され、且つ合成ビームを形成する、２つのビームの垂直ローブのダウンチルト角は異なっていてもよいので、合成ビームは、高層建築におけるネットワークカバレッジを実行するように、垂直寸法のワイドビームとなってもよい。
【００７０】
任意で、アンテナモジュール内の第１のアンテナアレイは、Ｎ１個の縦方向に配列されたアンテナアレイ素子を含み、アンテナモジュール内の第２のアンテナアレイは、Ｎ２個の縦方向に配列されたアンテナアレイ素子を含み、各アンテナアレイ素子は、１つの正４５度偏波アレイ素子および１つの負４５度偏波アレイ素子を含み、第１のアンテナアレイのＮ１個の正４５度偏波アレイ素子は第３の物理的アンテナポートに対応しており、第１のアンテナアレイのＮ１個の負４５度偏波アレイ素子は第４の物理的アンテナポートに対応しており、第２のアンテナアレイのＮ２個の正４５度偏波アレイ素子は第１の物理的アンテナポートに対応しており、第２のアンテナアレイのＮ２個の負４５度偏波アレイ素子は第２の物理的アンテナポートに対応しており、Ｎ１およびＮ２は両方とも０より大きい整数である。
【００７１】
アンテナシステム内に含まれるアンテナモジュールの数が異なるとき、アンテナモジュール内の第１のアンテナアレイおよび第２のアンテナアレイにより生成されるビームの垂直ローブのダウンチルト角が異なるとき、および仮想アンテナポートの数が異なるときに、ステップ９０２の具体的な実装形態は異なる。異なるケースが以下に別々に説明される。
【００７２】
ケース１：アンテナシステムは１つのアンテナモジュールを含み、アンテナモジュール内の第１のアンテナアレイおよび第２のアンテナアレイにより生成されるビームの垂直ローブのダウンチルト角は同じであり、２つの仮想アンテナポートがある。
【００７３】
特定の実施の間で、ステップ９０２は以下のようになり得る。ＢＢＵは、２つの仮想アンテナポートのうちの仮想アンテナポート０を、重み値［１，１］を使用することにより、アンテナモジュール内の第１の物理的アンテナポートおよび第３の物理的アンテナポートにマッピングし、２つの仮想アンテナポートのうちの仮想アンテナポート１を、重み値［１，１］を使用することにより、アンテナモジュール内の第２の物理的アンテナポートおよび第４の物理的アンテナポートにマッピングする。
【００７４】
本発明のこの実施形態では、説明を容易にするために、第１の物理的アンテナポートはＴ／Ｒ０として表され、第２の物理的アンテナポートはＴ／Ｒ１として表され、第３の物理的アンテナポートはＴ／Ｒ２として表され、第４の物理的アンテナポートはＴ／Ｒ３として表され、仮想アンテナポート０はＰｏｒｔ  ０であり、仮想アンテナポート１はＰｏｒｔ  １であり、後述する仮想アンテナポート２はＰｏｒｔ  ２であり、仮想アンテナポート３はＰｏｒｔ  ３である。
【００７５】
例えば、図１０は、ケース１において、仮想アンテナポートを物理的アンテナポートにマッピングする概略図である。ＢＢＵは、重み値［１，１］を使用することにより、Ｐｏｒｔ  ０をＴ／Ｒ０およびＴ／Ｒ２にマッピングし、重み値［１，１］を使用することにより、Ｐｏｒｔ  １をＴ／Ｒ１およびＴ／Ｒ３にマッピングする。
【００７６】
この場合、アンテナモジュールの合成ビームは、図７に示すものと類似の縦寸法のナロービームであり、ナロービームは、低層建築および街路におけるネットワークカバレッジを実行し得る。
【００７７】
ケース２：アンテナシステムは１つのアンテナモジュールを含み、アンテナモジュール内の第１のアンテナアレイおよび第２のアンテナアレイにより生成されるビームの垂直ローブのダウンチルト角が異なり、２つの仮想アンテナポートがある。
【００７８】
特定の実施の間で、ステップ９０２は以下のようになり得る。ＢＢＵは、２つの仮想アンテナポートのうちの仮想アンテナポート０を、重み値［１，１］を使用することにより、アンテナモジュール内の第１の物理的アンテナポートおよび第４の物理的アンテナポートにマッピングし、２つの仮想アンテナポートのうちの仮想アンテナポート１を、重み値［１，−１］を使用することにより、アンテナモジュール内の第２の物理的アンテナポートおよび第３の物理的アンテナポートにマッピングする。
【００７９】
例えば、図１１は、ケース２において、仮想アンテナポートを物理的アンテナポートにマッピングする概略図である。ＢＢＵは、重み値［１，１］を使用することにより、Ｐｏｒｔ  ０をＴ／Ｒ０およびＴ／Ｒ３にマッピングし、重み値［１、−１］を使用することにより、Ｐｏｒｔ  １をＴ／Ｒ１およびＴ／Ｒ２にマッピングする。
【００８０】
この場合、アンテナモジュールの合成ビームは、図８に示すものと類似の垂直寸法のワイドビームであり、ワイドビームは、高層建築におけるネットワークカバレッジを実行し得る。
【００８１】
ケース３：アンテナシステムは１つのアンテナモジュールを含み、４つの仮想アンテナポートがある。
【００８２】
特定の実施の間で、ステップ９０２は以下のようになり得る。ＢＢＵは、４つの仮想アンテナポートのうちの仮想アンテナポート０をアンテナモジュール内の第１の物理的アンテナポートにマッピングし、４つの仮想アンテナポートのうちの仮想アンテナポート１をアンテナモジュール内の第２の物理的アンテナポートにマッピングし、４つの仮想アンテナポートのうちの仮想アンテナポート２をアンテナモジュール内の第３の物理的アンテナポートにマッピングし、４つの仮想アンテナポートのうちの仮想アンテナポート３をアンテナモジュール内の第４の物理的アンテナポートにマッピングする。
【００８３】
例えば、図１２は、ケース３において仮想アンテナポートを物理的アンテナポートにマッピングする概略図である。ＢＢＵは、Ｐｏｒｔ  ０をＴ／Ｒ０にマッピングし、Ｐｏｒｔ  ２をＴ／Ｒ１にマッピングし、Ｐｏｒｔ  １をＴ／Ｒ２にマッピングし、Ｐｏｒｔ  ３をＴ／Ｒ３にマッピングする。
【００８４】
この場合、アンテナモジュール内の第１のアンテナアレイおよび第２のアンテナアレイにより生成されるビームの垂直ローブのダウンチルト角が同じであるとき、アンテナモジュールの合成ビームは、図７に示すものと類似の垂直寸法のナロービームであり、ナロービームは、低層建築および街路におけるネットワークカバレッジを実行し得る。アンテナモジュール内の第１のアンテナアレイおよび第２のアンテナアレイにより生成されるビームの垂直ローブのダウンチルト角が異なるとき、アンテナモジュールの合成ビームは、図８に示すものと類似の垂直寸法のワイドビームであり、ワイドビームは、高層建築におけるネットワークカバレッジを実行し得る。
【００８５】
ケース４：アンテナシステムは２つのアンテナモジュールを含み、各アンテナモジュール内の第１のアンテナアレイおよび第２のアンテナアレイにより生成されるビームの垂直ローブのダウンチルト角は同じであり、２つの仮想アンテナポートがある。
【００８６】
特定の実施の間で、ステップ９０２は以下のようになり得る。ＢＢＵは、２つの仮想アンテナポートにおける仮想アンテナポート０を、重み値［１，１，１，１］を使用することにより、２つのアンテナモジュールにおける第１のアンテナモジュールの第１の物理的アンテナポート、第１のアンテナモジュールの第３の物理的アンテナポート、２つのアンテナモジュールのうちの第２のアンテナモジュールの第１の物理的アンテナポートおよび第２のアンテナモジュールの第３の物理的アンテナポートにマッピングし、２つの仮想アンテナポートのうちの仮想アンテナポート１を、重み値［１，１，１，１］を使用することにより、２つのアンテナモジュールのうちの第１のアンテナモジュールの第２の物理的アンテナポート、第１のアンテナモジュールの第４の物理的アンテナポート、２つのアンテナモジュールのうちの第２のアンテナモジュールの第２の物理的アンテナポートおよび第２のアンテナモジュールの第４の物理的アンテナポートにマッピングする。
【００８７】
例えば、図１３は、ケース４において仮想アンテナポートを物理的アンテナポートにマッピングする概略図である。ＢＢＵは、Ｐｏｒｔ  ０を、重み値［１，１，１，１］を使用することにより、第１のアンテナモジュールのＴ／Ｒ０およびＴ／Ｒ２並びに第２のアンテナモジュールのＴ／Ｒ０およびＴ／Ｒ２にマッピングし、Ｐｏｒｔ  １を、重み値［１，１，１，１］を使用することにより、第１のアンテナモジュールのＴ／Ｒ１およびＴ／Ｒ３並びに第２のアンテナモジュールのＴ／Ｒ１およびＴ／Ｒ３にマッピングする。
【００８８】
この場合、図１４に示すように、第１のアンテナモジュールの合成ビームおよび第２のアンテナモジュールの合成ビームは両方とも垂直寸法のナロービームであり、２つのナロービームは異なる低層建築または街路におけるネットワークカバレッジを実行し得る。
【００８９】
ケース５：アンテナシステムが２つのアンテナモジュールを含み、各アンテナモジュール内の第１のアンテナアレイおよび第２のアンテナアレイにより生成されるビームの垂直ローブのダウンチルト角が異なり、２つの仮想アンテナポートがある。
【００９０】
特定の実施の間で、ステップ９０２は以下のようになり得る。ＢＢＵは、２つの仮想アンテナポートのうちの仮想アンテナポート０を、重み値［１，１，１，１］を使用することにより、２つのアンテナモジュールにおける第１のアンテナモジュールの第１の物理的アンテナポート、第１のアンテナモジュールの第４の物理的アンテナポート、２つのアンテナモジュールのうちの第２のアンテナモジュールの第１の物理的アンテナポートおよび第２のアンテナモジュールの第４の物理的アンテナポートにマッピングし、２つの仮想アンテナポートのうちの仮想アンテナポート１を、重み値［−１，１，−１，１］を使用することにより、２つのアンテナモジュールのうちの第１のアンテナモジュールの第２の物理的アンテナポート、第１のアンテナモジュールの第３の物理的アンテナポート、２つのアンテナモジュールのうちの第２のアンテナモジュールの第２の物理的アンテナポートおよび第２のアンテナモジュールの第３の物理的アンテナポートにマッピングする。
【００９１】
例えば、図１５は、ケース５における仮想アンテナポートを物理的アンテナポートにマッピングする概略図である。ＢＢＵは、Ｐｏｒｔ  ０を、重み値［１，１，１，１］を使用することにより、第１のアンテナモジュールのＴ／Ｒ０およびＴ／Ｒ３並びに第２のアンテナモジュールのＴ／Ｒ０およびＴ／Ｒ３にマッピングし、Ｐｏｒｔ  １を、重み値［−１，１，−１，１］を使用することにより、第１のアンテナモジュールのＴ／Ｒ１およびＴ／Ｒ２並びに第２のアンテナモジュールのＴ／Ｒ１およびＴ／Ｒ２にマッピングする。
【００９２】
この場合、図１６に示すように、第１のアンテナモジュールの合成ビームおよび第２のアンテナモジュールの合成ビームは両方とも垂直寸法のワイドビームであり、２つのワイドビームは異なる高層建築におけるネットワークカバレッジを実行し得る。
【００９３】
ケース６：アンテナシステムは２つのアンテナモジュールを含み、２つのアンテナモジュールのうちの第１のアンテナモジュール内の第１のアンテナアレイおよび第２のアンテナアレイにより生成されるビームの垂直ローブのダウンチルト角が異なり、２つのアンテナモジュールのうちの第２のアンテナモジュール内の第１のアンテナアレイおよび第２のアンテナアレイにより生成されるビームの垂直ローブのダウンチルト角が同じであり、２つの仮想アンテナポートがある。
【００９４】
特定の実施の間で、ステップ９０２は以下ようになり得る。ＢＢＵは、２つの仮想アンテナポートのうちの仮想アンテナポート０を、重み値［１，１，１，１］を使用することにより、２つのアンテナモジュールにおける第１のアンテナモジュールの第１の物理的アンテナポート、第１のアンテナモジュールの第４の物理的アンテナポート、２つのアンテナモジュールのうちの第２のアンテナモジュールの第１の物理的アンテナポートおよび第２のアンテナモジュールの第３の物理的アンテナポートにマッピングし、２つの仮想アンテナポートのうちの仮想アンテナポート１を、重み値［−１，１，１，１］を使用することにより、２つのアンテナモジュールのうちの第１のアンテナモジュールの第２の物理的アンテナポート、第１のアンテナモジュールの第３の物理的アンテナポート、２つのアンテナモジュールのうちの第２のアンテナモジュールの第２の物理的アンテナポートおよび第２のアンテナモジュールの第４の物理的アンテナポートにマッピングする。
【００９５】
例えば、図１７は、ケース６における仮想アンテナポートを物理的アンテナポートにマッピングする概略図である。ＢＢＵは、Ｐｏｒｔ  ０を、重み値［１，１，１，１］を使用することにより、第１のアンテナモジュールのＴ／Ｒ０およびＴ／Ｒ３並びに第２のアンテナモジュールのＴ／Ｒ０およびＴ／Ｒ２にマッピングし、Ｐｏｒｔ  １を、重み値［−１，１，１，１］を使用することにより、第１のアンテナモジュールのＴ／Ｒ１およびＴ／Ｒ２並びに第２のアンテナモジュールのＴ／Ｒ１およびＴ／Ｒ３にマッピングする。
【００９６】
この場合、図１８に示すように、第１のアンテナモジュールの合成ビームは垂直寸法のワイドビームであり、ワイドビームは高層建築におけるネットワークカバレッジを実行し、第２のアンテナモジュールの合成ビームは垂直寸法のナロービームであり、ナロービームは低層建築および街路におけるネットワークカバレッジを実行し得る。
【００９７】
ケース７：アンテナシステムは２つのアンテナモジュールを含み、４つの仮想アンテナポートがある。
【００９８】
特定の実施の間で、ステップ９０２は以下のようになり得る。ＢＢＵは、４つの仮想アンテナポートのうちの仮想アンテナポート０を、重み値［１，１］を使用することにより、２つのアンテナモジュールのうちの第１のアンテナモジュールの第１の物理的アンテナポートおよび２つのアンテナモジュールのうちの第２のアンテナモジュールの第１の物理的アンテナポートにマッピングし、４つの仮想アンテナポートのうちの仮想アンテナポート１を、重み値［１，１］を使用することにより、２つのアンテナモジュールのうちの第１のアンテナモジュールの第２の物理的アンテナポートおよび２つのアンテナモジュールのうちの第２のアンテナモジュールの第２の物理的アンテナポートにマッピングし、４つの仮想アンテナポートのうちの仮想アンテナポート２を、重み値［１，１］を使用することにより、２つのアンテナモジュールのうちの第１のアンテナモジュールの第３の物理的アンテナポートおよび２つのアンテナモジュールのうちの第２のアンテナモジュールの第３の物理的アンテナポートにマッピングし、並びに４つの仮想アンテナポートのうちの仮想アンテナポート３を、重み値［１，１］を使用することにより、２つのアンテナモジュールのうちの第１のアンテナモジュールの第４の物理的アンテナポートおよび２つのアンテナモジュールのうちの第２のアンテナモジュールの第４の物理的アンテナポートにマッピングする。
【００９９】
例えば、図１９は、ケース７において仮想アンテナポートを物理的アンテナポートにマッピングする概略図である。ＢＢＵは、Ｐｏｒｔ  ０を、重み値［１，１］を使用することにより、第１のアンテナモジュールのＴ／Ｒ０および第２のアンテナモジュールのＴ／Ｒ０にマッピングし、Ｐｏｒｔ  １を、重み値［１，１］を使用することにより、第１のアンテナモジュールのＴ／Ｒ２および第２のアンテナモジュールのＴ／Ｒ２にマッピングし、Ｐｏｒｔ  ２を、重み値［１，１］を使用することにより、第１のアンテナモジュールのＴ／Ｒ１および第２のアンテナモジュールのＴ／Ｒ１にマッピングし、並びにＰｏｒｔ  ３を、重み値［１，１］を使用することにより、第１のアンテナモジュールのＴ／Ｒ３および第２のアンテナモジュールのＴ／Ｒ３にマッピングする。
【０１００】
この場合、２つのアンテナモジュールの各々における第１のアンテナアレイおよび第２のアンテナアレイにより生成されるビームの垂直ローブのダウンチルト角が同じであるとき、２つのアンテナモジュールにより生成される合成ビームは両方とも垂直寸法のナロービームであり、２つのナロービームは異なる低層建築または街路におけるネットワークカバレッジを実行し得る。詳細については、図１４を参照されたい。
【０１０１】
２つのアンテナモジュールの各々における第１のアンテナアレイおよび第２のアンテナアレイにより生成されるビームの垂直ローブのダウンチルト角が異なるとき、２つのアンテナモジュールにより生成される合成ビームは両方とも垂直寸法のワイドビームであり、２のワイドビームは異なる高層建築におけるネットワークカバレッジを実行し得る。詳細については、図１６を参照されたい。
【０１０２】
２つのアンテナモジュールのうちの一方における第１のアンテナアレイおよび第２のアンテナアレイにより生成されるビームの垂直ローブのダウンチルト角が同じであるとき、アンテナモジュールにより生成される合成ビームは垂直寸法のナロービームであり、これは低層建築または街路におけるネットワークカバレッジを実行し得る。２つのアンテナモジュールのうちの他方における第１のアンテナアレイおよび第２のアンテナアレイにより生成されるビームの垂直ローブのダウンチルト角が異なるとき、アンテナモジュールにより生成される合成ビームは、垂直寸法のワイドビームであり、これは高層建築におけるネットワークカバレッジを実行し得る。詳細については図１８を参照されたい。
【０１０３】
本発明のこの実施形態において提供される前述の方法によれば、仮想アンテナポートが物理的アンテナポートにマッピングされるとき、コヒーレント重ね合わせは、アンテナモジュール内の第１のアンテナアレイおよび第２のアンテナアレイにより生成されるビーム間に生成されず、その結果、アンテナモジュールにより生成される合成ビームは、より良好なカバレッジ効果を有している。
【０１０４】
前述のケースにおいて、任意で、アンテナモジュール内の第１のアンテナアレイにより生成されるビームの垂直ローブのダウンチルト角が、アンテナモジュール内の第２のアンテナアレイにより生成されるビームの垂直ローブのダウンチルト角と同じであるとき、本方法は、ＢＢＵにより、アンテナモジュール内の第１のアンテナアレイにより生成されるビームと第２のアンテナアレイにより生成されるビームとの間の位相差を補償するステップをさらに含む。アンテナモジュール内の２つのアンテナアレイにより生成されるビームを結合する効果は、位相差を補償することにより改善することができる。
【０１０５】
具体的な補償方法は、アンテナモジュール内の第１のアンテナアレイにより生成されるビームの位相および第２のアンテナアレイにより生成されるビームの位相を設定することであってもよく、アンテナモジュール内の第１のアンテナアレイにより生成されるビームの位相は、アンテナモジュール内の第２のアンテナアレイにより生成されるビームの位相よりも大きい３６０＊ｓｉｎ（（ＥＴ−１）＊１５／１４．４／１８０＊π）＊３３０＊Ｆｒｑ／３００となり、ここで、ＥＴはアンテナモジュール内の第１のアンテナアレイおよび第２のアンテナアレイの各々により生成されるビームの垂直ローブのダウンチルト角であり、Ｆｒｑは物理的アンテナポートの伝送信号の周波数であり、「＊」は「乗算」を示している。
【０１０６】
具体的には、図７を参照すると、第１のアンテナアレイにより生成されるビームの垂直ローブのダウンチルト角αが、第２のアンテナアレイにより生成されるビームの垂直ローブのダウンチルト角βと同じであるとき、第１のアンテナアレイにより生成されるビーム１および第２のアンテナアレイにより生成されるビーム２は垂直寸法のナロービームを共同で形成する。ビーム１とビーム２との間には位相差がある。ビーム１およびビーム２の結合の効果を確実にするために、ＢＢＵはビーム１とビーム２との間の位相差を補償する必要がある。具体的には、補償は、第１のアンテナアレイにより生成されるビームの位相が、第２のアンテナアレイにより生成されるビームの位相よりも大きい３６０＊ｓｉｎ（（ＥＴ−１）＊１５／１４．４／１８０＊π）＊３３０＊Ｆｒｑ／３００となることを可能にすることにより実現し得る。
【０１０７】
例えば、第１のアンテナアレイにより生成されるビームの垂直ローブのダウンチルト角および第２のアンテナアレイにより生成されるビームの垂直ローブのダウンチルト角がそれぞれ１５度であるとき、物理的アンテナポートの伝送信号の周波数は２．２ＧＨｚであり、第１のアンテナアレイにより生成されるビームの位相は０に設定されてもよく、第２のアンテナアレイにより生成されるビームの位相は−２１９．３５７６度に設定されてもよい。
【０１０８】
加えて、前述の方法において、１つのアンテナモジュールにより生成される２つのビームは、４つのチャネルで１つのセルをカバーしてもよく、または２つのチャネルで２つの周波数間セルをカバーしてもよい。
【０１０９】
ネットワークスループットは、本発明のこの実施形態におけるアンテナシステムにより生成される垂直寸法のナロービームおよび垂直寸法のワイドビームを使用することにより、異なるシナリオでのネットワークカバレッジを実装することにより、効果的に増大させることができる。表１は、ＡＡＵがＥＭ  １．０（Ｅａｓｙ  Ｍａｃｒｏ  １．０）およびＥＭ  ２．０（Ｅａｓｙ  Ｍａｃｒｏ  ２．０）である様々なシナリオでのネットワークスループットにおける、シミュレーションを通して得られた増分を示している。ＥＭ  １．０は、従来技術における方式１でのネットワークカバレッジを実装し、本発明において、ＲＲＵをアンテナシステムと統合することにより得られるＡＡＵは、ＥＭ  ２．０として示される。
【０１１０】
【表１】
2019536368.tif 000003
【０１１１】
ＥＭ  ２．０−ＳＵはシングルユーザのシナリオを示しており、ＥＭ  ２．０−ＭＵはマルチユーザのシナリオを示しており、ＤＬはダウンリンクを示しており、ＵＬはアップリンクを示している。シナリオ１は、街路および街路に沿った１階および２階建ての建築をカバーするシナリオであり、シナリオ２は、街路に沿って２００メートルの範囲内で４から８階建ての建築をカバーするシナリオであり、並びにシナリオ３は、中層または高層建築（建築の高さ６０メートルを有する）をカバーするシナリオである。表１からわかるように、街路ステーション（シナリオ１およびシナリオ２を含む）のシナリオでは、ＥＭ１．０と比較して、ＥＭ２．０では、ダウンリンクの平均スループットは８％から１２％まで増大され、ダウンリンクのエッジスループットは１６％から２４％まで増大され、アップリンクの平均スループットは４０％から４５％まで増大され、並びにアップリンクのエッジスループットは６０％から８２％まで増大される。中層または高層建築のシナリオ（シナリオ３）では、ＥＭ  １．０と比較して、ＥＭ  ２．０では、ダウンリンクの平均スループットは１０％から５０％まで増大され、ダウンリンクのエッジスループットは３３％から３５％まで増大され、アップリンクの平均スループットは２２％から４５％まで増大され、アップリンクのエッジスループットは６５％まで増大される。
【０１１２】
本発明の実施形態において提供される解決手段は、前述の実施形態の方法におけるステップの実行プロセスの観点から主に説明される。前述の方法を実装するために、ＢＢＵは、本方法におけるステップを実行するための対応するハードウェア構造および／またはソフトウェアユニットを含むことを理解されたい。当業者は、本明細書に開示された実施形態を参照して説明された実施例におけるユニットおよびアルゴリズムステップが、本発明におけるハードウェアまたはハードウェアおよびコンピュータソフトウェアの組み合わせにより実行され得ることを容易に認識するはずである。機能が、ハードウェアにより具体的に実行されるか、またはコンピュータソフトウェアにより駆動されるハードウェアにより具体的に実行されるかは、特定の用途および技術的解決手段の設計制約に依存している。当業者であれば、それぞれの特定の用途に対して説明した機能を実装するために様々な方法を使用することができるが、その実装が本発明の範囲を超えると考慮すべきではない。
【０１１３】
本発明の実施形態では、ＢＢＵは、前述の方法の実施形態による機能ユニットに分割し得る。例えば、各機能ユニットは、それぞれの対応する方法のステップに基づいた分割を通して得られてもよく、または２つ以上の機能ユニットが１つの処理ユニットに統合されてもよい。統合ユニットは、ハードウェアの形態で実装されてもよく、またはソフトウェア機能ユニットの形態で実装されてもよい。本発明の実施形態におけるユニット分割は一例であり、単なる論理的機能分割であることに留意すべきである。実際の実装の間で、別の分割手法があり得る。
【０１１４】
例えば、図２０はＢＢＵ２０の概略構成図である。ＢＢＵ２０は、
アンテナシステムのアーキテクチャ情報を取得するように構成された取得ユニット２００１であって、アンテナシステムは少なくとも１つのアンテナモジュールを含み、アンテナモジュールは縦方向に配列された第１のアンテナアレイおよび縦方向に配列された第２のアンテナアレイを含み、第１のアンテナアレイにより生成されるビームの垂直ローブのダウンチルト角は、第２のアンテナアレイにより生成されるビームの垂直ローブのダウンチルト角と同じであるか、または異なる、取得ユニット２００１と、
ＢＢＵの仮想アンテナポートを、アンテナシステムのアーキテクチャ情報および仮想アンテナポートに基づいてアンテナシステム内の物理的アンテナポートにマッピングするように構成された、処理ユニット２００２とを含む。
【０１１５】
任意で、アンテナモジュール内の第１のアンテナアレイはＮ１個の縦方向に配列されたアンテナアレイ素子を含み、アンテナモジュール内の第２のアンテナアレイはＮ２個の縦方向に配列されたアンテナアレイ素子を含み、各アンテナアレイ素子は、１つの正４５度偏波アレイ素子および１つの負４５度偏波アレイ素子を含み、第１のアンテナアレイのＮ１個の正４５度偏波アレイ素子は第３の物理的アンテナポートに対応しており、第１のアンテナアレイのＮ１個の負４５度偏波アレイ素子は第４の物理的アンテナポートに対応しており、第２のアンテナアレイのＮ２個の正４５度偏波アレイ素子は第１の物理的アンテナポートに対応しており、第２のアンテナアレイのＮ２個の負４５度偏波アレイ素子は第２の物理的アンテナに対応しており、Ｎ１およびＮ２は両方とも０より大きい整数である。
【０１１６】
任意で、アンテナシステムは１つのアンテナモジュールを含み、アンテナモジュール内の第１のアンテナアレイにより生成されるビームの垂直ローブのダウンチルト角は、アンテナモジュール内の第２のアンテナアレイにより生成されるビームの垂直ローブのダウンチルト角と同じであり、２つの仮想アンテナポートがあり、処理ユニット２００２は、
ＢＢＵにより、２つの仮想アンテナポートのうちの仮想アンテナポート０を、重み値［１，１］を使用することにより、アンテナモジュール内の第１の物理的アンテナポートおよび第３の物理的アンテナポートにマッピングし、２つの仮想アンテナポートのうちの仮想アンテナポート１を、重み値［１，１］を使用することにより、アンテナモジュール内の第２の物理的アンテナポートおよび第４の物理的アンテナポートにマッピングするように具体的に構成されている。
【０１１７】
任意で、アンテナシステムは１つのアンテナモジュールを含み、アンテナモジュール内の第１のアンテナアレイにより生成されるビームの垂直ローブのダウンチルト角は、アンテナモジュール内の第２のアンテナアレイにより生成されるビームの垂直ローブのダウンチルト角とは異なり、２つの仮想アンテナポートがあり、処理ユニット２００２は、
ＢＢＵにより、２つの仮想アンテナポートのうちの仮想アンテナポート０を、重み値［１，１］を使用することにより、アンテナモジュール内の第１の物理的アンテナポートおよび第４の物理的アンテナポートにマッピングし、２つの仮想アンテナポートのうちの仮想アンテナポート１を、重み値［１，−１］を使用することにより、アンテナモジュール内の第２の物理的アンテナポートおよび第３の物理的アンテナポートにマッピングするように具体的に構成されている。
【０１１８】
任意で、アンテナシステムは１つのアンテナモジュールを含み、４つの仮想アンテナポートがあり、処理ユニット２００２は、
ＢＢＵにより、４つの仮想アンテナポートのうちの仮想アンテナポート０を、アンテナモジュール内の第１の物理的アンテナポートにマッピングし、４つの仮想アンテナポートのうちの仮想アンテナポート１をアンテナモジュール内の第２の物理的アンテナポートにマッピングし、４つの仮想アンテナポートのうちの仮想アンテナポート２をアンテナモジュール内の第３の物理的アンテナポートにマッピングし、４つの仮想アンテナポートのうちの仮想アンテナポート３をアンテナモジュール内の第４の物理的アンテナポートにマッピングするように具体的に構成されている。
【０１１９】
任意で、アンテナシステムは２つのアンテナモジュールを含み、各アンテナモジュール内の第１のアンテナアレイにより生成されるビームの垂直ローブのダウンチルト角は、アンテナモジュール内の第２のアンテナアレイにより生成されるビームの垂直ローブのダウンチルト角と同じであり、２つの仮想アンテナポートがあり、処理ユニット２００２は、
ＢＢＵにより、２つの仮想アンテナポートのうちの仮想アンテナポート０を、重み値［１，１，１，１］を使用することにより、２つのアンテナモジュールのうちの第１のアンテナモジュールの第１の物理的アンテナポート、第１のアンテナモジュールの第３の物理的アンテナポート、２つのアンテナモジュールのうちの第２のアンテナモジュールの第１の物理的アンテナポートおよび第２のアンテナモジュールの第３の物理的アンテナポートにマッピングし、２つの仮想アンテナポートのうちの仮想アンテナポート１を、重み値［１，１，１，１］を使用することにより、２つのアンテナモジュールのうちの第１のアンテナモジュールの第２の物理的アンテナポート、第１のアンテナモジュールの第４の物理的アンテナポート、２つのアンテナモジュールのうちの第２のアンテナモジュールの第２の物理的アンテナポートおよび第２のアンテナモジュールの第４の物理的アンテナポートにマッピングするように具体的に構成されている。
【０１２０】
任意で、アンテナシステムは２つのアンテナモジュールを含み、各アンテナモジュール内の第１のアンテナアレイにより生成されるビームの垂直ローブのダウンチルト角は、アンテナモジュール内の第２のアンテナアレイにより生成されるビームの垂直ローブのダウンチルト角とは異なり、２つの仮想アンテナポートがあり、処理ユニット２００２は、
ＢＢＵにより、２つの仮想アンテナポートのうちの仮想アンテナポート０を、重み値［１，１，１，１］を使用することにより、２つのアンテナモジュールのうちの第１のアンテナモジュールの第１の物理的アンテナポート、第１のアンテナモジュールの第４の物理的アンテナポート、２つのアンテナモジュールのうちの第２のアンテナモジュールの第１の物理的アンテナポートおよび第２のアンテナモジュールの第４の物理的アンテナポートにマッピングし、２つの仮想アンテナポートのうちの仮想アンテナポート１を、重み値［−１，１，−１，１］を使用することにより、２つのアンテナモジュールのうちの第１のアンテナモジュールの第２の物理的アンテナポート、第１のアンテナモジュールの第３の物理的アンテナポート、２つのアンテナモジュールのうちの第２のアンテナモジュールの第２の物理的アンテナポートおよび第２のアンテナモジュールの第３の物理的アンテナポートにマッピングするように具体的に構成されている。
【０１２１】
任意で、アンテナシステムは２つのアンテナモジュールを含み、２つのアンテナモジュールのうちの第１のアンテナモジュール内の第１のアンテナアレイにより生成されるビームの垂直ローブのダウンチルト角は、第１のアンテナモジュール内の第２のアンテナアレイにより生成されるビームの垂直ローブのダウンチルト角と異なり、２つのアンテナモジュールのうちの第２のアンテナモジュール内の第１のアンテナアレイにより生成されるビームの垂直ローブのダウンチルト角は、第２のアンテナモジュール内の第２のアンテナアレイにより生成されるビームの垂直ローブのダウンチルト角と同じであり、２つの仮想アンテナポートがあり、処理ユニット２００２は、
ＢＢＵにより、２つの仮想アンテナポートのうちの仮想アンテナポート０を、重み値［１，１，１，１］を使用することにより、２つのアンテナモジュールのうちの第１のアンテナモジュールの第１の物理的アンテナポート、第１のアンテナモジュールの第４の物理的アンテナポート、２つのアンテナモジュールのうちの第２のアンテナモジュールの第１の物理的アンテナポートおよび第２のアンテナモジュールの第３の物理的アンテナポートにマッピングし、２つの仮想アンテナポートのうちの仮想アンテナポート１を、重み値［−１，１，１，１］を使用することにより、２つのアンテナモジュールのうちの第１のアンテナモジュールの第２の物理的アンテナポート、第１のアンテナモジュールの第３の物理的アンテナポート、２つのアンテナモジュールのうちの第２のアンテナモジュールの第２の物理的アンテナポートおよび第２のアンテナモジュールの第４の物理的アンテナポートにマッピングするように具体的に構成されている。
【０１２２】
任意で、アンテナシステムは２つのアンテナモジュールを含み、４つの仮想アンテナポートがあり、処理ユニット２００２は、
ＢＢＵにより、４つの仮想アンテナポートのうちの仮想アンテナポート０を、重み値［１，１］を使用することにより、２つのアンテナモジュールのうちの第１のアンテナモジュールの第１の物理的アンテナポートおよび２つのアンテナモジュールのうちの第２のアンテナモジュールの第１の物理的アンテナポートにマッピングし、４つの仮想アンテナポートのうちの仮想アンテナポート１を、重み値［１，１］を使用することにより、２つのアンテナモジュールのうちの第１のアンテナモジュールの第２の物理的アンテナポートおよび２つのアンテナモジュールのうちの第２のアンテナモジュールの第２の物理的アンテナポートにマッピングし、４つの仮想アンテナポートのうちの仮想アンテナポート２を、重み値［１，１］を使用することにより、２つのアンテナモジュールのうちの第１のアンテナモジュールの第３の物理的アンテナポートおよび２つのアンテナモジュールのうちの第２のアンテナモジュールの第３の物理的アンテナポートにマッピングし、並びに４つの仮想アンテナポートのうちの仮想アンテナポート３を、重み値［１，１］を使用することにより、２つのアンテナモジュールのうちの第１のアンテナモジュールの第４の物理的アンテナポートおよび２つのアンテナモジュールのうちの第２のアンテナモジュールの第４の物理的アンテナポートにマッピングするように具体的に構成されている。
【０１２３】
任意で、アンテナモジュール内の第１のアンテナアレイにより生成されるビームの垂直ローブのダウンチルト角が、アンテナモジュール内の第２のアンテナアレイにより生成されるビームの垂直ローブのダウンチルト角と同じであるとき、処理ユニット２００２は、
アンテナモジュール内の第１のアンテナアレイにより生成されるビームと第２のアンテナアレイにより生成されるビームとの間の位相差を補償するようにさらに構成されている。
【０１２４】
任意で、処理ユニット２００２は、
アンテナモジュール内の第１のアンテナアレイにより生成されるビームの位相および第２のアンテナアレイにより生成されるビームの位相を設定するように具体的に構成されており、アンテナモジュール内の第１のアンテナアレイにより生成されるビームの位相は、アンテナモジュール内の第２のアンテナアレイにより生成されるビームの位相より大きい３６０＊ｓｉｎ（（ＥＴ−１）＊１５／１４．４／１８０＊π）＊３３０＊Ｆｒｑ／３００となり、ＥＴはアンテナモジュール内の第１のアンテナアレイおよび第２のアンテナアレイの各々により生成されるビームの垂直ローブのダウンチルト角であり、Ｆｒｑは物理的アンテナポートの伝送信号の周波数である。
【０１２５】
ＢＢＵ２０内の各ユニットは、前述の方法を実施するように構成されている。従って、ＢＢＵ２０の有益な効果については、前述の方法の有益な効果を参照されたい。詳細はここでは再度説明しない。
【０１２６】
上述した各「ユニット」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、略してＡＳＩＣ）回路、１つまたは複数のソフトウェアまたはファームウェアプログラムを実行するプロセッサ、メモリ、集積論理回路および／または前述の機能を提供することができる別のデバイスであり得る。具体的には、取得ユニット２００１は通信インターフェースまたはレシーバを用いることにより実装されてもよく、処理ユニット２００２はプロセッサにより実装されてもよい。
【０１２７】
場合によっては、前述の方法は、図２１に示されるＢＢＵ２１を使用することにより実装され得る。ＢＢＵ２１は、プロセッサ２１０１、メモリ２１０２、バス２１０３および通信インターフェース２１０４を含む。
【０１２８】
プロセッサ２１０１は、汎用の中央処理装置（ｃｅｎｔｒａｌ  ｐｒｏｃｅｓｓｉｎｇ  ｕｎｉｔ、略してＣＰＵ）、マイクロプロセッサ、ＡＳＩＣ、または本発明の解決手段におけるプログラム実行を制御するための１つもしくは複数の集積回路であり得る。
【０１２９】
メモリ２１０２は、リードオンリーメモリ（ｒｅａｄ−ｏｎｌｙ  ｍｅｍｏｒｙ、略してＲＯＭ）もしくは静的情報および命令を記憶することのできる他の種類の静的記憶装置、またはランダムアクセスメモリ（ｒａｎｄｏｍ  ａｃｃｅｓｓ  ｍｅｍｏｒｙ、ＲＡＭ）もしくは情報および命令を記憶することのできる他の種類の動的記憶装置であってもよく、または電気的に消去可能なプログラマブル・リードオンリーメモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、略してＥＥＰＲＯＭ）、コンパクトディスク・リードオンリーメモリ（ｃｏｍｐａｃｔ  ｄｉｓｃ  ｒｅａｄ−ｏｎｌｙ  ｍｅｍｏｒｙ、略してＣＤ−ＲＯＭ）もしくは他のコンパクトディスクストレージ、光ディスクストレージ（コンパクトディスク、レーザディスク、光ディスク、デジタル多用途ディスク、ブルーレイディスクなどを含む）、ディスクストレージ媒体もしくは他の磁気記憶装置、または命令もしくはデータ構造形式を有する予期されたプログラムコードを搬送または記憶するように構成することができ、コンピュータによってアクセスすることができる任意の他の媒体であり得る。しかしながら、これに限定されない。
【０１３０】
通信インターフェース２１０４は、トランシーバなどの装置であってもよく、他のデバイスと通信するように構成されている。
【０１３１】
プロセッサ２１０１、メモリ２１０２および通信インターフェース２１０４は、バス２１０３を介して接続されている。バス２１０３はチャネルを含んでいてもよく、プロセッサ２１０１、メモリ２１０２と、通信インターフェース２１０４との間で情報を伝送してもよい。メモリ２１０２は独立して存在していてもよく、バス２１０３を介してプロセッサ２１０１に接続されていてもよい。メモリ２１０２はプロセッサ２１０１と交互に統合されてもよい。
【０１３２】
バス２１０３は、ペリフェラル・コンポーネント・インターコネクト（ｐｅｒｉｐｈｅｒａｌ  ｃｏｍｐｏｎｅｎｔ  ｉｎｔｅｒｃｏｎｎｅｃｔ、略してＰＣＩ）バス、拡張業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略してＥＩＳＡ）バスなどであり得る。バスは、アドレスバス、データバス、制御バスなどに分類することができる。表現を容易にするために、図２１においてバスを表現するために１本の太線のみが使用されているが、１つのみのバス、または１種類のみのバスがあるという意味ではない。
【０１３３】
メモリ２１０２はコンピュータ実行命令を記憶するように構成されており、プロセッサ２１０１はメモリ２１０２に記憶されたコンピュータ実行命令を実行して、以下の動作を実施する。
アンテナシステムのアーキテクチャ情報を取得するステップであって、アンテナシステムは少なくとも１つのアンテナモジュールを含み、アンテナモジュールは縦方向に配列された第１のアンテナアレイおよび縦方向に配列された第２のアンテナアレイを含み、第１のアンテナアレイにより生成されるビームの垂直ローブのダウンチルト角は第２のアンテナアレイにより生成されるビームの垂直ローブのダウンチルト角と同じであるか、または異なる、取得するステップ、および
ＢＢＵの仮想アンテナポートを、アンテナシステムのアーキテクチャ情報および仮想アンテナポートに基づいて、アンテナシステム内の物理的アンテナポートにマッピングするステップ。
【０１３４】
プロセッサ２１０１は、メモリ２１０２に記憶されたコンピュータ実行命令を実行することにより、前述の方法における他のステップをさらに実施し得る。詳細については、前述の方法を参照されたい。詳細はここでは再度説明しない。
【０１３５】
ＢＢＵ２１内の各デバイスは、前述の方法を実施するように構成されている。従って、ＢＢＵ２１の有益な効果については、前述の方法の有益な効果を参照されたい。詳細はここでは再度説明しない。
【０１３６】
本発明の実施形態は、ＢＢＵにより使用されるコンピュータソフトウェア命令を記憶するように構成された、コンピュータストレージ媒体をさらに提供する。コンピュータソフトウェア命令は、方法の実施形態を実施するために設計されたプログラムを含む。仮想アンテナポートマッピング方法は、記憶されたプログラムを実行することにより実装され得る。
【０１３７】
本発明が実施形態を参照して説明されているが、保護を請求する本発明を実施するプロセスにおいて、当業者は、添付の図面、開示された本文および添付の特許請求の範囲を検討することにより、開示された実施形態の他の変形例を理解し、および実施し得る。特許請求の範囲において、「含む」（ｃｏｍｐｒｉｓｉｎｇ）は、他の構成要素または他のステップを排除するものではなく、「１つの（ａ）」又は「１つの（ｏｎｅ）」は複数のケースを排除するものではない。単一のプロセッサまたは別のユニットが特許請求の範囲に列挙されているいくつかの機能を実施し得る。いくつかの手段が互いに異なる従属請求項に記録されているが、より良い効果を生み出すためにこれらの手段を組み合わせることができないという意味ではない。
【０１３８】
当業者は、本発明の実施形態が方法、装置（デバイス）、またはコンピュータプログラム製品として提供されてもよいことを理解するべきである。従って、本発明は、ハードウェアのみの実施形態、ソフトウェアのみの実施形態、またはソフトウェアおよびハードウェアの組み合わせを有する実施形態の形態を使用し得る。さらに、本発明は、コンピュータ利用可能プログラムコードを含む１つまたは複数のコンピュータ利用可能ストレージ媒体（ディスクメモリ、ＣＤ−ＲＯＭ、光メモリなどを含むがこれらに限定されない）上で実装されるコンピュータプログラム製品の形態を使用し得る。コンピュータプログラムは、適切な媒体に記憶／配布され、他のハードウェアと共にハードウェアの一部として提供されるもしくはその一部として使用される、または他の形態、例えばインターネットもしくは他の有線もしくは無線電気通信システムを介して配布され得る。
【０１３９】
本発明は、本発明の実施形態による方法、装置（デバイス）およびコンピュータプログラム製品のフローチャートおよび／またはブロック図を参照して説明される。コンピュータプログラム命令は、フローチャートおよび／またはブロック図における各プロセスおよび／または各ブロック、並びにフローチャートおよび／またはブロック図におけるプロセスおよび／またはブロックの組み合わせを実施するために使用され得ることを理解されたい。これらのコンピュータプログラム命令は、汎用コンピュータ、専用コンピュータ、組み込みプロセッサ、または機械を生み出すための他のプログラム可能なデータ処理デバイスのプロセッサのために提供されてもよく、その結果、コンピュータまたは他のプログラム可能なデータ処理デバイスのプロセッサにより実行される命令は、フローチャートにおける１つ以上のプロセスおよび／またはブロック図における１つ以上のブロックにおける特定の機能を実行するための装置を生み出す。
【０１４０】
これらのコンピュータプログラム命令はまた、コンピュータまたは他のプログラム可能なデータ処理デバイスに特定の方式で動作するように命令することができるコンピュータ可読メモリに記憶することができ、その結果、コンピュータ可読メモリに記憶された命令は、命令装置を含む加工品を生み出す。命令装置は、フローチャートにおける１つ以上の処理および／またはブロック図における１つ以上のブロックにおける特定の機能を実行する。
【０１４１】
これらのコンピュータプログラム命令はまた、コンピュータまたは他のプログラム可能なデータ処理デバイスにロードされてもよく、その結果、コンピュータまたは他のプログラム可能なデバイス上で一連の動作およびステップが実行され、それによりコンピュータ実行処理を生み出す。従って、コンピュータまたは他のプログラム可能なデバイス上で実行される命令は、フローチャートにおける１つ以上のプロセスおよび／またはブロック図における１つ以上のブロックにおける特定の機能を実行するためのステップを提供する。
【０１４２】
本発明を特定の特徴およびその実施態様を参照して説明したが、明らかに、本発明の精神と範囲を逸脱することなく、様々な修正および組み合わせをそれらに行うことができる。それに対応して、明細書および添付の図面は、添付の特許請求の範囲により定義される本発明の例示的な説明にすぎず、本発明の範囲を包含する任意のまたは全ての修正形態、変形形態、組合せまたは等価物と見なされる。明らかに、当業者は、本発明の精神および範囲から逸脱することなく、本発明に対して様々な修正および変更を加えることができる。本発明はこれらの修正および変更を網羅することを意図しており、それらは本発明の特許請求の範囲およびそれらの均等の技術により定義される保護の範囲内にある。
【符号の説明】
【０１４３】
５０  アンテナモジュール
５０’  電気調整グループ
５０１  第１のアンテナアレイ
５０１’  第１の電気調整
５０２  第２のアンテナアレイ
５０２’  第２の電気調整
２００１  取得ユニット
２００２  処理ユニット
２１０１  プロセッサ
２１０２  メモリ
２１０３  バス
２１０４  通信インターフェース
【図１】
2019536368.tif 000004
【図２】
2019536368.tif 000005
【図３】
2019536368.tif 000006
【図４】
2019536368.tif 000007
【図５】
2019536368.tif 000008
【図６】
2019536368.tif 000009
【図７】
2019536368.tif 000010
【図８】
2019536368.tif 000011
【図９】
2019536368.tif 000012
【図１０】
2019536368.tif 000013
【図１１】
2019536368.tif 000014
【図１２】
2019536368.tif 000015
【図１３】
2019536368.tif 000016
【図１４】
2019536368.tif 000017
【図１５】
2019536368.tif 000018
【図１６】
2019536368.tif 000019
【図１７】
2019536368.tif 000020
【図１８】
2019536368.tif 000021
【図１９】
2019536368.tif 000022
【図２０】
2019536368.tif 000023
【図２１】
2019536368.tif 000024
【国際調査報告】
2019536368.tif 000025
2019536368.tif 000026
2019536368.tif 000027
2019536368.tif 000028
2019536368.tif 000029
2019536368.tif 000030